(57)【特許請求の範囲】
【請求項１】
被加熱物が置かれるトッププレートを備えた本体と、
該トッププレートの下方空間の左位置および右位置にそれぞれ設置された左加熱コイルおよび右加熱コイルを備えた誘導加熱手段と、
該複数の加熱手段の調理条件を制御する制御手段と、
該制御手段に前記調理条件を入力する複数個の入力キーを有した入力手段と、
該入力手段の入力キーによって入力された前記調理条件を表示する表示手段と、
を備え、
前記表示手段の一部が前記左加熱コイルと前記右加熱コイルとの間の空間に侵入し、前記本体の上方から視認自在であり、
前記左加熱コイルおよび前記右加熱コイルの両方が誘導加熱する場合、前記左加熱コイルの調理条件および前記右加熱コイルの調理条件をそれぞれ、前記表示手段の左側位置および右側位置に同時に表示するものであり、
前記表示手段の左側位置は、前記左加熱コイルの第一条件設定状態を表示する第一の表示エリアおよび前記左加熱コイルの第二条件の設定状態を表示する第二の表示エリアの２つのエリアを具備し、前記表示手段の右側位置は、前記右加熱コイルの第一条件設定状態を表示する第一の表示エリアおよび前記右加熱コイルの第二条件の設定状態を表示する第二の表示エリアの２つのエリアを具備し、
前記それぞれのエリアの面積、形状が変更可能であり、
前記入力キーは、前記左加熱コイルの調理条件および前記右加熱コイルの調理条件が同時に表示された前記左側位置および前記右側位置よりも前記本体の前面寄りで、且つ、前記表示手段の上面または前記本体の前記表示手段よりも前面寄りの上面に、左右方向に並べて配置され、
さらに、各種調理における注意や参考情報を文字によって表示するガイドエリアを、前記左加熱コイルの第一条件設定状態を表示する第一の表示エリアおよび前記左加熱コイルの第二条件の設定状態を表示する第二の表示エリアと、前記右加熱コイルの第一条件設定状態を表示する第一の表示エリアおよび前記右加熱コイルの第二条件の設定状態を表示する第二の表示エリアよりも前記入力キー寄りの所定の位置において、所定の面積で横長形状に表示させ、
前記ガイドエリアは、前記左加熱コイルおよび右加熱コイルの双方同時加熱状態と何れか一方の入力状態の何れにおいても、前記所定の位置に所定の面積が維持されて配置される構成であり、
前記表示手段が、前記本体の前面寄りに配置されて、前記左加熱コイルの前面と前記右加熱コイルの前面とを結ぶ直線を跨ぎ、平面視において外形形状が正方形または長方形の液晶表示基板を備え、
前記左加熱コイルと前記右加熱コイルとは、平面視において外形形状が円形である誘導加熱源であることを特徴とする加熱調理器。
【発明の詳細な説明】
【技術分野】
【０００１】
本発明は加熱調理器、特に、電気加熱源や電磁誘導加熱源により調理を行う加熱調理器に関するものである。
【背景技術】
【０００２】
加熱調理器として、１つの本体（筐体）の上面部に載置された食品を、複数の電磁誘導加熱源で加熱する電磁加熱調理器や、電磁誘導加熱源に加えて電気ヒータ等の輻射型加熱源でも加熱できる電磁加熱調理器（いわゆる複合型加熱調理器）がある。
そして、複数の加熱源を制御するための操作部と、運転状態あるいは設定状態を表示する表示部とを有し、該表示部をトッププレートの前面寄りで上方に一段突出すると共に前面が傾斜した表示カバーで覆った加熱調理器が開示されている（例えば、特許文献１参照）。
【先行技術文献】
【特許文献】
【０００３】
【特許文献１】特開２００２−３４９８７８号公報（第２−３頁、図２）
【発明の概要】
【発明が解決しようとする課題】
【０００４】
しかしながら、前記特許文献１に開示された発明のように、従来の加熱調理器は、加熱手段（加熱源に同じ）が２個、多いものでは例えば５個もあるため、それらを個々に制御するにあたり、各加熱手段の入力スイッチや火力調節つまみ等の複数の操作部を調整する必要があった。また、かかる調整の結果が液晶やランプ、文字等によって複数の表示部に個々に表示されるので、それらの状態を別々に確認する必要があった。
そして、加熱源毎に設けた小さい面積の液晶画面等に、その都度、火力や加熱温度、時間などが数字やランプ表示等の表示手段によって表示されるため、複数の加熱源を同時に使用した場合には、特に、各加熱源の設定条件等の確認を簡単にすることが困難という問題点があった。
【０００５】
本発明は、上記のような問題点を解決するためになされたものであり、複数の加熱源それぞれの設定条件等を簡単に確認することができる加熱調理器を提供することを目的とする。
【課題を解決するための手段】
【０００６】
本発明に係る加熱調理器は、被加熱物が置かれるトッププレートを備えた本体と、該トッププレートの下方空間の左位置および右位置にそれぞれ設置された左加熱コイルおよび右加熱コイルを備えた誘導加熱手段と、該複数の加熱手段の調理条件を制御する制御手段と、該制御手段に前記調理条件を入力する複数個の入力キーを有した入力手段と、該入力手段の入力キーによって入力された前記調理条件を表示する表示手段と、を備え、前記表示手段の一部が前記左加熱コイルと前記右加熱コイルとの間の空間に侵入し、前記本体の上方から視認自在であり、前記左加熱コイルおよび前記右加熱コイルの両方が誘導加熱する場合、前記左加熱コイルの調理条件および前記右加熱コイルの調理条件をそれぞれ、前記表示手段の左側位置および右側位置に同時に表示するものであり、前記表示手段の左側位置は、前記左加熱コイルの第一条件設定状態を表示する第一の表示エリアおよび前記左加熱コイルの第二条件の設定状態を表示する第二の表示エリアの２つのエリアを具備し、前記表示手段の右側位置は、前記右加熱コイルの第一条件設定状態を表示する第一の表示エリアおよび前記右加熱コイルの第二条件の設定状態を表示する第二の表示エリアの２つのエリアを具備し、前記それぞれのエリアの面積、形状が変更可能であり、前記入力キーは、前記左加熱コイルの調理条件および前記右加熱コイルの調理条件が同時に表示された前記左側位置および前記右側位置よりも前記本体の前面寄りで、且つ、前記表示手段の上面または前記本体の前記表示手段よりも前面寄りの上面に、左右方向に並べて配置され、さらに、各種調理における注意や参考情報を文字によって表示するガイドエリアを、前記左加熱コイルの第一条件設定状態を表示する第一の表示エリアおよび前記左加熱コイルの第二条件の設定状態を表示する第二の表示エリアと、前記右加熱コイルの第一条件設定状態を表示する第一の表示エリアおよび前記右加熱コイルの第二条件の設定状態を表示する第二の表示エリアよりも前記入力キー寄りの所定の位置において、所定の面積で横長形状に表示させ、前記ガイドエリアは、前記左加熱コイルおよび右加熱コイルの双方同時加熱状態と何れか一方の入力状態の何れにおいても、前記所定の位置に所定の面積が維持されて配置される構成であり、前記表示手段が、前記本体の前面寄りに配置されて、前記左加熱コイルの前面と前記右加熱コイルの前面とを結ぶ直線を跨ぎ、平面視において外形形状が正方形または長方形の液晶表示基板を備え、前記左加熱コイルと前記右加熱コイルとは、平面視において外形形状が円形である誘導加熱源であることを特徴とする。
【発明の効果】
【０００７】
本発明は以上の構成であるから、多種類の調理に対応できる加熱調理器において、各種の調理条件の設定状況が共通の表示画面を見てその都度確認することができるとともに、その表示画面が、加熱手段に挟まれるように加熱手段同士の間に位置しているから、限られた面積の上板（トッププレートに同じ）の中に、各加熱源に共通した大きな表示画面を用意することができる。したがって、大きな表示画面に多くの情報を表示できるから、使用者が操作する際の視認性が向上する。
【図面の簡単な説明】
【０００８】
【図１】本発明の実施の形態１に係る加熱調理器を示す全体斜視図。
【図２】図１に示す加熱調理器の平面図。
【図３】図２に示す加熱調理器の横断面図（その１）。
【図４】図２に示す加熱調理器の横断面図（その２）。
【図５】図１に示す加熱調理器の中央表示・入力部周辺を示す要部平面図。
【図６】図１に示す加熱調理器における電気回路構成図。
【図７】図１に示す加熱調理器の本体の中央表示・入力部と上面操作部の平面図。
【図８】図１に示す加熱調理器の中央表示・入力部の表示エリア区分を示す模式図。
【図９】図１に示す加熱調理器の表示画面と入力キーとの関係を示す説明図（１）。
【図１０】図１に示す加熱調理器の表示画面と入力キーとの関係の説明図（２）。
【図１１】図１に示す加熱調理器の表示画面と入力キーとの関係の説明図（３）。
【図１２】本発明の実施の形態２に係る加熱調理器の表示画面と入力キーとの関係を示す説明図。
【発明を実施するための形態】
【０００９】
［実施の形態１］
図１〜図１１は、本発明の実施の形態１に係る加熱調理器を示すものであって、図１は加熱調理器の設置状態における全体斜視図であり、図２は全体の平面図、図３は全体の横断面図、図４は図３の横断面の位置から更に下方位置のおける横断面図、図５は本体前方の上部縦断面図、図６は全体の電気回路図、図７は本体の上面操作部と中央表示・入力部周辺を示す要部平面図、図８は中央表示・入力部の画面を示す説明図、図９は上面操作部と中央表示・入力部を示す平面図、図１０は上面操作部と中央表示・入力部を示す平面図、図１１は上面操作部と中央表示・入力部を示す平面図である。なお、各図において同じ部分または相当する部分には同じ符号を付し、一部の説明を省略する。
【００１０】
（加熱調理器本体）
図１において、加熱調理器本体（以下、「本体」と称す）１は平面形状が長方形であって、金属板から形成された箱形状の本体ケース２と、本体ケース２の上面開口を塞ぐ金属製板から形成された額縁状の天板３と、から構成されている。
本体１の内部には、天板３に載置された被加熱物を加熱するための電磁エネルギー又は熱エネルギーを発生する後記する加熱手段６Ｌ、６Ｒ、７と、該加熱手段の調理条件を制御する後記する制御手段２００と、該制御手段に前記調理条件を入力する後記する入力手段２０〜２３と、該入力手段に入力された前記調理条件を表示する表示手段（本発明の特徴）８０とを備えている。以下、それぞれについて詳細に説明する。
【００１１】
（天板）
天板３の上面は、非磁性ステンレス板又はアルミ板などから形成された額縁形状の枠体４によって縁取られ、その中央に設けられた大きな開口部は、耐熱強化ガラスや結晶化ガラス等の赤外線を透過させる材料からなる長方形状のトッププレート（上板に同じ）５によって密閉状態に覆われている。したがって、トッププレート５の上面から水滴などが枠体４を通じて本体１の内部に侵入しないようにしてある。
なお、トッププレート５の上面には、後記する加熱源６Ｌ、６Ｒ、７の位置を示す案内マーク６ＬＭ、６ＲＭ、７Ｍが、それぞれ表示されている。
【００１２】
（右加熱源）
本体１の内部であって、トッププレート５の右側位置の下面側に、右側電磁加熱コイル（以下、「右加熱源」と称す）６Ｒが配置されている。右加熱源６Ｒの上端部がトッププレート５に近接しており、電磁誘導加熱源となる。例えば、最大消費電力（最大火力）３ｋＷの能力を備えたものが使用される。右加熱源６Ｒは誘導加熱コイル（以下、「右加熱コイル」と称す）２２０Ｒを渦巻状に１本又は複数本巻き、外形形状が円形になるように円盤形に成形されている。右加熱コイル２２０Ｒの直径（最大外径寸法）は約１８０ｍｍである。
なお、トッププレート５に右加熱源６Ｒの上方に対応する位置に表示された円（図１において破線、図２において実線）である案内マーク６ＲＭは、右加熱源６Ｒの外形位置を示すものではなく、適正な誘導加熱領域を示すものであって、印刷などによって形成されている。
【００１３】
（左加熱源）
本体１の内部であって、トッププレート５の左側位置の下面側に、左側電磁加熱コイル（以下、「左加熱源」と称す）６Ｌが配置されている。左加熱源６Ｌの上端部がトッププレート５に近接しており、電磁誘導加熱源となる。例えば、最大消費電力（最大火力）２．５ｋＷの能力を備えたものが使用される。左加熱源６Ｌは誘導加熱コイル（以下、「左加熱コイル」と称す）２２０Ｌを渦巻状に１本又は複数本巻き、外形形状が円形になるように円盤形に成形されている。左加熱コイル２２０Ｌの直径（最大外径寸法）は約１８０ｍｍであるが、右加熱コイル２２０Ｒの最大火力より小さいため、１７０ｍｍ程度に形成することができる。
なお、トッププレート５に左加熱源６Ｌの上方に対応する位置に表示された円（図１において破線、図２において実線）である案内マーク６ＬＭは、右加熱源６ＲＬの外形位置を示すものではなく、適正な誘導加熱領域を示すものであって、印刷などによって形成されている。
【００１４】
左加熱源６Ｌと右加熱源６Ｒとは、それぞれ独立して通電とその電力量が制御され、火力も別個に設定できるように後記する通電制御回路２００に電気的に接続されている。
図３、図５および図６に示すように、左加熱源６Ｌおよび右加熱源６Ｒの何れも、通電時に渦電流を発生するように渦状に巻かれた左加熱コイル２２０Ｌおよび右加熱コイル２２０Ｒと、左加熱コイル２２０Ｌおよび右加熱コイル２２０Ｒを収容した左保持枠３３５Ｌおよび右保持枠３３５Ｒと、左保持枠３３５Ｌおよび右保持枠３３５Ｒの下面の全体やその一部を覆うフェライト製板の左磁束漏れ防止板３３１Ｌおよび右磁束漏れ防止板３３１Ｒ等によって構成されている。
なお、以下の説明において、左右に配置された部材について共有する内容については、名称における「左、右」および符号における「Ｌ、Ｒ」の記載を省略する場合がある。
【００１５】
そして、保持枠３３５は、円形で上面が開口した金属製の容器状であって、周囲壁面には、多数の通風孔３３０Ｐが設けられて、冷却風が通過するようになっている。保持枠３３５は、上面開口の縁が断熱材３３２を介してトッププレート５の下面に接触するように設置され、加熱コイル２２０の上面はトッププレート５の下面に対し一定の微小空隙を設けて対向するように設置されている。
【００１６】
（中央加熱源）
本体１の内部であって、トッププレート５の左右中心線（図２および図３において一点鎖線ＣＬにて示す）上で、かつ、トッププレート５の後部寄りの位置に、中央加熱源７が配置されている。中央加熱源７は、輻射によって加熱するタイプの電気ヒータ２３１（例えばニクロム線やハロゲンヒータ、ラジエントヒータ）が使用され、トッププレート５を通してその上方に置かれた鍋等の加熱調理器具（図示せず）を加熱するものである。そして、例えば、最大消費電力（最大火力）１．２ｋＷの能力を備えたものが使用されている。
【００１７】
電気ヒータ２３１は断熱性の断熱カバー７Ａの内部に収納されている。断熱カバー７Ａは上面全体が開口した円形の容器形状を有している。断熱カバー７Ａは、直径（最大外径寸法）が約１８０ｍｍで、板厚が５ｍｍになっている。
なお、トッププレート５に中央加熱源７の上方に対応する位置に表示された円（図１において破線、図２において実線）である案内マーク７Ｍは、中央加熱源７の外形位置を示すものではなく、適正な誘導加熱領域を示すものであって、印刷などによって形成されている。
【００１８】
（前面操作部）
本体ケース２の右側前面に前面操作部１０が設けられている。前面操作部１０には、左加熱源６Ｌ、右加熱源６Ｒ、中央加熱源７及びオーブン調理やグリル調理用の電気ヒータ（図５参照、以下、「グリルヒータ」と称す）１１０Ａの全ての電源を一斉に投入・遮断する主電源スイッチ２０１（図６参照）の操作ボタン１１と、右加熱源６Ｒの通電とその通電量（火力）を制御する制御スイッチ（図示せず）の電気接点を開閉する右操作ダイアル１２Ｒと、同じく左加熱源６Ｌの通電とその通電量（火力）を制御する左制御スイッチ１２（図示せず）の左操作ダイアル１２Ｌと、中央加熱源７の通電とその通電量（火力）を制御する制御スイッチ（図示せず）の中央操作ダイアル１３と、が設けられている。
そして、前面操作部１０には、左操作ダイアル１２Ｌによって左加熱源６Ｌに通電が行われている状態でのみ点灯する左表示灯１５と、右操作ダイアル１２Ｒによって右加熱源６Ｒに通電が行われている状態でのみ点灯する右表示灯１４とが設けられている。
【００１９】
なお、左操作ダイアル１２Ｌ、右操作ダイアル１２Ｒ、および中央操作ダイアル１３は、使用しない状態では、図１に示されるように、前面操作部１０の表面から突出しないように内側へ押し込まれており、使用する場合には、使用者が指で一度押すと前方にバネ力によって突出し、回せる状態になるものである。そして、この段階で左加熱源６Ｌおよび右加熱源６Ｒ及び中央加熱源７にはそれぞれ通電が開始される。
そこで、突出している左操作ダイアル１２Ｌ、右操作ダイアル１２Ｒ、または中央操作ダイアル１３の何れかを左右に回せば、その回動の量に応じて当該加熱源の通電量が決まり、火力設定が行えるようになっている。
【００２０】
さらに、前面操作部の下部分には、タイマーダイアル１６、１７、１８が設けられている。タイマーダイアル１６、１７、１８は、それぞれ左加熱源６Ｌ、右加熱源６Ｒ、中央加熱源７を通電開始から所望の時間だけ通電し、該所望の時間を経過した後は自動的に電源を切るタイマースイッチ（図示せず）を操作するためのものである。
【００２１】
（グリル室）
本体１の内部の下半分には、区画形成されたグリル室（以下、「加熱室」と称す）１９が設けられている。加熱室１９は、金属板により左右、上下及び背面側の壁面が形成され、上部天井付近および底部付近に設置された電気ヒータ（図示せず）を同時又は個別に通電してロースト調理（例えば焼き魚）、グリル調理（例えばピザやグラタン）や加熱室１９内の雰囲気温度を設定して調理するオーブン調理（例えば、ケーキや焼き野菜）が行えるようになっている。例えば、上部天井付近には最大消費電力（最大火力）１２００Ｗのグリルヒータ１１０Ａ（図５参照）と、底部付近には最大消費電力８００Ｗの電気ヒータ（図示せず）がそれぞれ設けられる。
【００２２】
加熱室１９の前面開口７１はドア７０によって開閉自在に覆われ、ドア７０は前後方向に移動自在になるよう加熱室１９に支持機構（図示せず）によって保持されている。また、ドア７０の中央開口部は耐熱ガラスによって形成されて窓７２が設置され、加熱室１９の内部が視認できるようになっている。さらに、ドア７０には一体に形成された金属製の受皿７３が設けられ、油の多い調理をする場合は通常受皿７３の上には金属製の焼き網（図示せず）が置かれる。
【００２３】
枠体４の後部中心部上面に右排気口７４が設けられ、表面は使用者の指や異物等が入らないようにパンチングメタルや網、細かい格子で覆われている。右排気口７４は加熱室１９の内部まで排気ダクト７６を介して連通しており、加熱室１９の内部に発生した高温空気（調理物から発生した油煙を含む）が右排気口７４から本体１の外部に排出される。
【００２４】
また、枠体４の後部中央上面に左排気口７５が設けられ、表面は使用者の指や異物等が入らないようにパンチングメタルや網、細かい格子で覆われている。左排気口７５は、本体１の内部空間（後で述べる上方空間２７５）に連通している。
【００２５】
（上面操作部）
天板３の上面、具体的には枠体４の前部に上面操作部２０が配置されている。本体１の左右中心線ＣＬ（図１および図２参照）を挟んで、左側には左加熱源６Ｌの左火力設定用操作部２２が、中央部には中央加熱源７及び加熱室に設置された電気ヒータ（図示せず）の中央操作部２３が、右側には右加熱源６Ｒの右火力設定用操作部２１が、それぞれ配置されている。
【００２６】
（左火力設定用操作部）
図７において、右火力設定用操作部２１には、使用者が１度押圧するだけで右加熱源６Ｒの火力を簡単に設定することができる右ワンタッチキー部２４が設けられている。右ワンタッチキー部２４は、弱火力キー２５、中火力キー２６、および強火力キー２７の３つのワンタッチキーを備えている。例えば、弱火力キーは右加熱源６Ｒの火力を３００Ｗに設定し、中火力キー２６は７５０Ｗに設定し、強火力キーは２．５ｋＷに設定する。さらに、右ワンタッチキー部２４の右端部に強火力キー（以下、「３ｋＷキー」と称す）８６が設けられ、右加熱源６Ｒの火力を強力（例えば、３ｋＷ）にしたい場合、これを押圧操作する。
【００２７】
（右火力設定用操作部）
なお、左加熱源６Ｌの火力設定のための左火力設定用操作部２２には、右火力設定用操作部２１（右ワンタッチキー部２４が設置されている）と同様なワンタッチキーが設置されている。したがって、例えば、火力を３００Ｗ、７５０Ｗ、または２．５ｋＷの何れかに設定できるようになっている。
【００２８】
（中央操作部）
中央操作部２３には、図７に示されるように、ロースト調理、オーブン調理及びグリル調理に用いられるグリルヒータ１１０Ａ等の通電を開始する操作スイッチ（図示せず）の操作ボタン９２と、その通電を停止する操作スイッチ（図示せず）の操作ボタン２９が並べて設けられている。
また、中央操作部２３には、グリルヒータ１１０Ａ等によるグリル調理や左加熱源６Ｌ、右加熱源６Ｒによる電磁調理における制御温度を、１度ずつ加算的又は減算的に設定する温度調節スイッチ（図示せず）の操作ボタン３００、３１０が横一列に設けられている。
【００２９】
さらに、中央操作部２３には便利メニューキー９３が設けられている。すなわち、揚げ物調理（左加熱源６Ｌ、右加熱源６Ｒを使用）、揚げ物予熱状態表示（左加熱源６Ｌ、右加熱源６Ｒを使用し、油を所定の予熱温度まで加熱）、タイマー調理（左加熱源６Ｌ、右加熱源６Ｒ、中央加熱源７、加熱室１９の内部に設けた二つのグリルヒータ１１０Ａ等をタイマーカウンターにて設定した時間中だけ通電して調理）を設定する際に押圧すれば、簡単に中央表示・入力部８０（図６において、液晶表示部８０としている）に所望の入力画面や状態表示画面を読み出せる。
【００３０】
また、中央加熱源７の電源の入・切を操作するための制御スイッチ（図示せず）の操作ボタン９４が設けられている。
さらに、操作ボタン２９の右側には、ハードボタンからなる右ＩＨ便利メニューボタン９３ａが設けられており、これは右加熱源６Ｒについての各種の設定をするための設定ボタンである。同様な設定ボタンは左加熱源６Ｌについても設けられている（図示省略）。
【００３１】
３４Ｒは、タイマーカウンター（図示せず）をスタートさせるスタートスイッチ（以下、「タイマースイッチ」と称す）であり、操作部２１の右端部に設けてあり、使用者が１度押圧すると、その時点から時間が計測され、トッププレート５の右前方隅部に設けられた右液晶表示部３５Ｒ（トッププレート５の下面近傍にあり、トッププレート５を介してその上方）に表示光を透過させて経過時間が「分」と「秒」単位で表示される。
【００３２】
同じく操作部２１に右揚げ物選択スイッチ３６Ｒが設けられ、使用者がこれを１度押圧すると、右加熱源６Ｒによる揚げ物（天ぷら）鍋の油の温度を１８０℃に初期設定することができ、その後使用者は右加熱源６Ｒの火力を、右操作ダイアル１２Ｒを操作して揚げ物に適する任意の適温、例えば２００℃に設定することができる。
【００３３】
左側の左火力設定用操作部２２にも、右火力設定用操作部２１と同様に、左タイマースイッチ３４Ｌと、左液晶表示部３５Ｌ（図１参照）と、左揚げ物選択スイッチ３６Ｌと、の３つが設けられている。そして、左タイマースイッチ３４Ｌと右タイマースイッチ３４Ｒ、左液晶表示部３５Ｌと右液晶表示部３５Ｒ、左揚げ物選択スイッチ３６Ｌと右揚げ物選択スイッチ３６Ｒ、とは、それぞれ本体１の左右中心線ＣＬを挟んで左右対象的位置に設けられている。
【００３４】
図７において、上記した６つの各種操作ボタン２９、９２、９３、９４、３００、３１０、９３ａ等は、表面が水や調理物の油などに耐える材質の薄い樹脂皮膜や金属皮膜で覆われており、使用者が指先で軽く押すことにより動作（内蔵した電気接点が導通し、入力信号発生）するように構成されている。
【００３５】
さらに、図７に示すように入力キー群９１が設けられている。このキー群は６つの独立して操作可能な入力キー８３、９５、９６、９７、９８、９９を備えており、これらキーは、表面が調理物の油などに絶える材質の薄い樹脂皮膜や金属皮膜で覆われており、使用者が指先で軽く押すことにより動作（内蔵した電気接点が導通し、入力信号発生）するように構成されている。
【００３６】
上記のように、中央操作部２３の各操作ボタンや入力キーを、接触式の入力キー（例えば特許第２７１２３９９号で紹介されている）を使用しなかった理由は、その種の接触式キーは静電容量の変化を検知して入力信号が発生するものであるため、調理中の水や油の飛散、また使用者が濡れた手で操作した場合などの状況を考えると、この種の加熱調理器では誤動作が起こる懸念があるためである。これにより、実施の形態１ではより高い信頼性を確保しているが、本発明は上記接触式のキーを採用しても実現することができ、必ずしも押圧式のキーを使用しなければならない訳ではない。
【００３７】
（火力表示ランプ）
トッププレート５の右前側で、右加熱源６Ｒと右火力設定用操作部２１との間の位置に対応した位置に、右加熱源６Ｒの火力の大きさを表示する右火力表示ランプ４０Ｒが設けられている。右火力表示ランプ４０Ｒはトッププレート５を介して（透過させて）その下面から表示光を上面側に放つようにトッププレート５の下面近傍に設けられている。
同様に、左加熱源６Ｌの火力の大きさを表示する左火力表示ランプ４０Ｌが、トッププレート５の左前側で、左加熱源６Ｌと左火力設定用操作部２２との間の位置に対応した位置に設けられ、トッププレート５を介して（透過させて）その下面から表示光を上面側に放つようにトッププレート５の下面近傍に設けられている。
【００３８】
なお、右加熱源６Ｒ用の右火力表示ランプ４０Ｒは、火力１２０Ｗから最大火力３ｋＷまでの間を１２段階で表示できるようになっている。そして、これら１２段階の火力を発光で示すために、右火力表示ランプ４０Ｒは、図６に示す回路図の通り１２個の発光ダイオード２４６〜２５７（発光素子）を直線的に配置してある。例えば、火力１である場合は、発光ダイオード１の２４６のみが点灯し、その赤い光を使用者はトッププレート５の表面上から容易に目視することができる。
同様に、左加熱源６Ｌ用の左火力表示ランプ４０Ｌは、図示していないが、火力１２０Ｗから最大火力２．５ｋＷまでの間を１１段階で表示できるようになっている。
【００３９】
（主電源スイッチ）
主電源スイッチ２０１（図６参照）の操作ボタン１１と、右加熱源６Ｒの通電とその通電量（火力）を制御する制御スイッチ（図示せず）の電気接点を開閉する右操作ダイアル１２Ｒと、左加熱源６Ｌの通電とその通電量（火力）を制御する制御スイッチ（図示せず）の電気接点を開閉する左操作ダイアル１２Ｌとにより、中央操作部２３、右加熱源６Ｒの右火力設定用操作部２１、左加熱源６Ｌの左火力設定用操作部２２の電源が遮断される構成になっている。したがって、例えば主電源スイッチ２０１を開成（ＯＦＦ）すれば、それ以後、右操作ダイアル１２Ｒおよび左右操作ダイアル１２Ｒの操作は一斉に無効となる。
【００４０】
（表示手段）
表示手段（以下、「中央表示・入力部」と称す）８０が、トッププレート５の左右方向の中央部で、前後方向の前側に設けられている。中央表示・入力部８０は、液晶パネルを主体に構成され、トッププレート５を介して（透過させて）その下面から表示光を上面側に放つようにトッププレート５の下面近傍に設けられている。
中央表示・入力部８０は、左加熱源６Ｌ、右加熱源６Ｒ、中央加熱源７及び加熱室１９の内部に設けたグリルヒータ１１０Ａ等の通電状態（火力や時間等）を入力したり、確認したりすることができるものである。すなわち、（ｉ）加熱源６の機能（調理動作中であるかどうか等）と、（ｉｉ）中央加熱源７の機能（調理中であるかどうか等）と、（ｉｉｉ）グリル調理の場合には、加熱室１９内部でグリル調理を行う場合の操作手順や機能（例えば、現在ロースタ、グリル、オーブンの調理の何れが行われているかどうか）と、が文字やイラスト、グラフなどによって表示されるものである。具体的な構造と表示動作については以下に説明する。
【００４１】
図１において、６０は本発明の加熱調理器が設置された流し台６４の設置空間である台所の壁６５に取り付けられた液晶ＴＶ又は液晶モニター等の画像表示器であり、これはパソコンの画面として接続して使用されるような周知のものでも良い。６１は画像表示器６０の電源コード、６２は画像表示器６０に対して画像信号を送出する接続ケーブルで、後述する通電制御回路２００に駆動回路２４４を介して接続される。
【００４２】
画像表示器６０の使用は使用者の任意であり、電気ケーブルを簡単に外せるので、電源接続口６３に接続しない状態で加熱調理器を使用しても何ら調理動作には影響がない。画像表示器６０の上面、左右側面、下面及び前面の５面全体はカバー６６によって覆われ、画像表示器６０の前面、すなわち加熱調理器本体１に面する側は透明な材質で構成されているか、または透明な板で覆われた窓を設けており、画像表示器６０に着脱自在に取り付けられている。
【００４３】
中央表示・入力部８０は、周知のドットマトリックス型液晶画面で構成されている。このため高精細（３２０×２４０ピクセルの解像度を備えているＱＶＧＡや６４０×４８０ドット、１６色の表示が可能なＶＧＡ相当）の画面を実現でき、文字を表示する場合でも多数の文字を表示することができる。
図７はその一例を模式的に表示したものである。図７に記載のように、
情報を表示する画面区域８１は合計１０個のエリアに割り当ててあり、左加熱源６Ｌの対応エリアＡ１、Ａ２と、
中央加熱源７の対応エリアＢ１、Ｂ２と、
右加熱源６Ｒの対応エリアＣ１、Ｃ２と、
グリルやオーブン調理用のグリルヒータ（加熱源に同じ）１１０Ａ等の対応エリアＤと、
使用者に各種調理における注意や参考情報を表示するガイドエリアＥと、
上記入力キー群９１の各入力キー８３、９５〜９９に隣接し、そのキーで入力可能な機能を個別に表示する、互いに独立した６つの表示キー８４、１００、１０１、１０２、１０３、１０４を（仮想的に）表示するキー表示エリアＦと、
Ｔｉｐｓ表示エリアＧと、
をそれぞれ備えている。
【００４４】
上記の合計１０個の各エリア（表示領域）は、中央表示・入力部８０の液晶画面の上に実現されたものではあるが、画面自体に物理的に個別に形成され、又は区画されているものではない。すなわち、画面表示のソフトウエア（マイコンのプログラム）により確立されたものであるので、そのソフトウエアによりその都度面積や形、位置を変えることは可能であるが、使用者の使い勝手を考え、左加熱源６Ｌ、中央加熱源７、右加熱源６Ｒなど各加熱源の並び順序に合わせて常に同じ並び順序にしている。つまり、画面上では左側に左加熱源６Ｌ、真中に中央加熱源７、右側に右加熱源６Ｒについての情報が表示される。
【００４５】
左加熱源６Ｌに対応して、左加熱源６Ｌのための火力（加熱量）などの「第一条件」設定の正常状態を表示する第一の表示エリアＡ１と、左加熱源６Ｌのための調理時間、設定温度など（第一条件よりも多数の種類がある）「第二条件」の設定状態並びに「温度や電流、電圧などの物理量」異常状態を表示する第二の表示エリアＡ２と、の２つのエリアから構成されている。
【００４６】
同様に、中央加熱源７に対応して、中央加熱源７のための火力などの「第一条件」設定の正常状態を表示する第一の表示エリアＢ１と、中央加熱源７のための調理時間、設定温度など（第一条件よりも多数の種類がある）「第二条件」の設定状態並びに「温度や電流、電圧などの物理量」異常状態を表示する第二の表示エリアＢ２と、の２つのエリアから構成されている。
【００４７】
また、同様に、右加熱源６Ｒに対応して、右加熱源６Ｒのための火力などの「第一条件」設定の正常状態を表示する第一の対応エリアＣ１と、右加熱源６Ｒのための調理時間、設定温度など（第一条件より多数の種類がある）「第二条件」設定の正常状態並びに「温度や電流、電圧などの物理量」異常状態を表示する第二の表示エリアＣ２と、の２つのエリアから構成されている。
【００４８】
図７において、キー表示エリアＦと、６つの入力キー８３、９５〜９９との配置関係がしめされている。キー表示エリア部分Ｆに設けた６つの各キー（以下、表示キー又はソフトキーともいう）８４、１００〜１０４は、場面によって機能が変わる液晶画面内での仮想キーであり、実際の操作は各表示キー８４、１００〜１０４に対応して近接配置されている入力キー（Ｆ１〜Ｆ６、ファンクションキーともいう）８３、９５〜９９を操作することにより、各表示キー８４、１００〜１０４を操作したことに相当する操作信号が（後述する通電制御回路２００）に入力されることになる。
【００４９】
入力キーを個別に表示する方法として、キー部分に文字を浮かび上がらせたり、発光ダイオード等により点灯させたり、キー部分の色彩や輝度を強調したり、色々な方法があるが、実施の形態１では、入力できる条件の前提となる各種パラメータ（対象となる加熱源、加熱温度や時間、通電量など）設定に必要な文字と記号（矢印など）を表示キー部分８４、１００〜１０４に表示するように構成している。
【００５０】
入力キー１０４の右側手前には、ハードキーからなるインフォーメーションキー（Ｔｉｐｓキー）８５が設けられている。このキーは、キー１０４の上方のＴｉｐｓ表示エリアＧに対応しており、その表示エリアに特定の記号、例えば参考情報（インフォーメーション）を意味する「ｉ」を○で囲んだ記号（以下、「（ｉ）」と称す）が表示された場合、このインフォーメーションキー８５を押せば、図１４に示すように調理に役立つ詳しい情報などを文字で中央入力・表示部８０のガイドエリアＥに表示させることができる。具体的には、つぎのような情報をガイドエリアＥに表示する。
（１）ユーザーの操作・意図とは関係ない動作に対するお知らせ（切り忘れ防止／脱煙フィルター自動クリーニング等）。
（２）自動調理（揚げ物、自動グリル）を安全に、また上手に使いこなすために行ってもらいたい内容。
（３）調理全般に関して加熱調理器特有の癖（焼きムラ等）のお知らせ。
（４）加熱調理器の安全面のお願いや・警報内容、警報に対する対応方法。
【００５１】
（動作説明）
図７および図９は、表示キー８４、１００〜１０４と入力キー（ファンクションキー）８３、９５〜９９の表示例を示している。６つの表示キー８４、１００〜１０４はそれぞれその下方に個別にＬＥＤがそれぞれ配置されており、操作場面毎に有効な入力用表示キーを点灯する。例えば、図９に示す表示キー１００〜１０４は有効（アクティブ状態）になっている。図中、「ＡＭ」はアクティブ状況にあることを模式的に示したアクティブマークである。実際はこのような特定形状の点灯を行うだけではなく、表示キー８４、１００〜１０４の全域や輪郭だけを明るくし、又は色を変える等の方法で、アクティブ状況にあることを示しても良い。
【００５２】
表示キー８４、１００〜１０４の内、操作しても無効なキーについては、グレイアウト（コントラスト及び文字内容を薄く表示する）や非表示（キー外形形状のみを薄く表示する）により区別をするようにしている。図９では、１つの表示８４だけが、グレイアウトや非表示になっている（実際には「初期画面」という文字さえ表示されない）。
【００５３】
また、ファンクションキー８３、９５〜９９についても、その下方に個別に設けたＬＥＤの点灯有無により、有効なファンクションキーが目視で区別できるようにしている。
図９において、表示キー８４に対応するファンクションキー８３は、ＬＥＤが点灯しておらず、このＬＥＤが点灯していないファンクションキー８３を押しても、後述する通電制御回路２００の中には有効な操作信号が上面操作部２０より取り込まれない（通電制御回路２００の動作を定める制御プログラムに対し、有効な操作指令信号にならない）。
【００５４】
つまり、実施の形態１では、使用者が中央表示・入力部８０を見た場合、所望の表示キーを少しでも早く、簡単に認識・理解できるよう不要な表示キーにはこのように何も選択する機能名や加熱源の名称を表示しないようにプログラムしてある。また、入力が有効な表示キーは文字や発光、色などで判別できるようにしている。さらに、その有効な表示キーに対応するファンクションキー８３、９５〜９９も、それが有効な（アクティブ）状態であることを色や光等で表示している。
【００５５】
以上の通り、６つの表示キー８４、１００〜１０４のアクティブ状態と、６つのファンクションキー８３、９５〜９９のアクティブ状態とは、入力の場面毎に変化するが、常に両者は対応している。例えば、図９において、表示キー１００が有効である（アクティブマークＡＭが点灯してアクティブ状態であることが示されている）場面では、ファンクションキー９５も有効（アクティブ状態）になっている。
【００５６】
図９では、中央表示・入力部８０の画面区域８１が初期状態を表示しているため、表示キー８４に対応するファンクションキー８３は非アクティブになっており、このキー８３を押圧しても、これに対応する表示キー８４では入力操作できないことを示している。
表示キー８４には「初期画面」との説明文字が表示されているが、既に初期画面になっているので、表示キー８４を操作する必要性がないからである（この初期画面という表示自体を表示キー８４に表示させないこともできるが、実施の形態１の説明上、図９では表示させている）。
【００５７】
図７で、「戻る」という表示キー１００は、調理条件の入力などを行っていく過程で一つ前の入力画面や表示画面に戻したい場合に押すものである。「初期画面」の表示キー８４は、どのような段階でも一挙に初期画面に戻したい場合に操作する。
【００５８】
図１０は、図９の状態から使用者が３ｋＷキー８６（図６参照）を押した場合の中央表示・入力部８０と入力キー（ファンクションキー）８３、９５〜９９の表示例を示した説明図である。３ｋＷキー８６が押されると、３ｋＷキー８６の入力信号で通電制御回路２００にメニュー選択の指令が入力され、その制御回路はこの中央表示・入力部８０に対し、図９の画面を表示するよう指令を出す。
【００５９】
中央表示・入力部８０における、右加熱源６ＲのエリアＣ２は自動的に面積が数倍に拡大され、表示エリアＣ１に表示された文字で、その火力のレベルが１２段階中の１２（最大値）である３ｋＷに設定されることが分かる。この火力については下げることはできないので、火力を下げるための表示キー１０２は非アクティブであり、これに対応したファンクションキー９７は非アクティブになる。
【００６０】
通電時間は初期設定では２分、５分、１０分の内から、２分が表示されるので、この２分を５分に変えたい場合は、３ｋＷキーを再度押すか、又は時間や温度を増加させる「→」の記号が表示された表示キー１０３を操作するため、ファンクションキー９８を押せば良い。この場合、時間を（５分や１０分に）長くするためのファンクションキー９８はアクティブ表示になっており、逆に時間を短くするための表示キー１０２に対応するファンクションキー９７はグレイアウトになっている（２分以下に下げることはできないため）。しかし、もし５分に設定したあと、２分に戻す場合は、このファンクションキー９７はアクティブになっているので、ファンクションキー９７を押せば良い。
【００６１】
図１０に示す通り、中央表示・入力部８０のガイドエリアＥには調理時間が２分、５分、１０分の内から選べること。またその選ぶ方法は３ｋＷキーを押すか、又は「→」、「←」の記号が表示された表示キー１０２、１０３をファンクションキー９７、９８で操作すれば良いことが使用者は容易に認識できる。
【００６２】
以上のように、ガイドエリアＥには、例えば５０文字までの文字表示ができるようにしてあり、その主な表示内容は、各種キーの操作機能の説明や操作手順の補助等、また重要な警報（異常運転状態の報知を含む）である。
【００６３】
図１１に、図９の状態から使用者が右ＩＨ便利メニューキー（図７参照、以下「キー」と称す）９３ａを押した場合の中央表示・入力部８０とファンクションキー８３、９５〜９９の表示例が示されている。すなわち、キー９３ａが押されると、中央表示・入力部８０における、右加熱源６ＲのエリアＣ２は自動的に面積が拡大され、左側には各種の調理メニュー（例えば、揚げ物、煮込み等）が表示され、煮込みに適する火力として火力レベルが１２段階中の５である６２５Ｗ（弱火力）に初期設定されることが分かる。
この火力は初期設定値以外に使用者が希望する火力に変更することができるので、火力を１段階落として５６３Ｗ以下にしたい場合は、表示キー１０２を操作すべく、ファンクションキー９７を１回押せば、１段階さがり、２回押せば２段階（５００Ｗ）に下げることができる。逆に火力を上げる場合は、ファンクションキー９８を押せば良い。
【００６４】
また、通電時間は上下方向の矢印が示された表示キー１０１を操作すれば、入力される条件が「通電時間」になる。つまり、図１１において「時間：０分」という部分の時間設定が可能になる。そこで調理時間を２分に設定したい場合、ファンクションキー９８を２回押す。
図１０は、このように時間を設定する段階にあるため、時間（０分）を下げる（短くする）ことはないから、表示キー１０２が対応するファンクションキー９７は非アクティブ状態である（ファンクションキー９７を押しても何も入力できない）。
【００６５】
時間設定を行わずに、また火力設定をやり直したい場合、図１１の状態から表示キー１０１に対応したファンクションキー９６を押せば、表示キー１０１の矢印表示の通り、入力対象を、「時間」からその上方位置に表示されている「火力」に移動させることができ、時間の欄から火力の欄に入力対象を変えることができる。
【００６６】
また、調理メニューの機能設定の段階で、「煮込み」から「切タイマー」に変更したい場合は、ファンクションキー９６を押せば、煮込み→保温→揚げ物→切タイマーのように巡回するから、切タイマーのところに合わせれば良い。
【００６７】
切タイマーとは加熱源６の火力をレベル１（１２０Ｗ）、２（３００Ｗ）、３（５６３Ｗ）〜８（１ｋＷ）の内から選び、１時間３０分（９０分）以内の連続調理をタイマーにより行うことができるようにした機能であり、例えば、火力「８」で２９分間だけ右加熱源６Ｒを通電して調理を行なうという使用ができる。なお、切タイマー運転の場合の加熱源は、中央加熱源７でも使用可能である。
【００６８】
図７において、右加熱源６Ｒが通電され加熱中であることを点灯や点滅で示す通電マーク５０が設けられている。通電マーク５０は図７に示すように、各加熱源の名称を表示した右位置に現れる。
【００６９】
（制御回路）
図６は、この調理装置の制御回路の全体を示す図であり、該制御回路は、１つ又は複数のマイクロコンピュータを内蔵して構成されている通電制御回路２００によって形成されている。通電制御回路２００は、入力部と、出力部と、記憶部と、演算制御部と、の４つの部分から構成され、定電圧回路２３２を介して直流電源が供給されて、全ての加熱源（加熱手段）と中央表示・入力部８０（表示手段）を制御する中心的な制御手段の役目を果たすものである。
【００７０】
図６において、主回路の母線２０２Ａ、２０２Ｂに２００Ｖ電圧の電力を供給する商用電源２０２が接続され、主回路の一方の母線２０２Ａに主電源スイッチ２０１が設けられている。そして、商用電源２０２に対し、互いに並列に接続された右加熱源６Ｒ用の右加熱源回路２０６Ｒと、右加熱源回路２０６Ｒと同様に構成された左加熱源６Ｌ用の左加熱源回路２０６Ｌ（図６において、右ＩＨ用回路２０６Ｌとしている）と、中央加熱源７用の中央回路２０７と、グリル・オーブン用加熱源用のグリル回路２０８（図６においては、グリル・オーブン用回路２０８としている）と、が設けられている。
【００７１】
右加熱源回路２０６Ｒは、誘導加熱コイル２２０と、母線２０２Ａ、２０２Ｂに入力側が接続された整流ブリッジ回路２２１と、この直流側出力端子に接続されたコイル２２２及び平滑化コンデンサ２２３からなる直流回路と、コイル２２２とコンデンサ２２３の接続点に１端が接続された加熱コイル２２０及び共振コンデンサ２２４の並列回路からなる共振回路と、この共振回路の他端にコレクタ側が接続されたスイッチング手段となるＩＧＢＴ２２５と、を備えている。
【００７２】
ＩＧＢＴ２２５のエミッタは、平滑化コンデンサ２２３と整流ブリッジ回路２２１の共通接続点に接続されている。フライホイールダイオード２２６のアノードがエミッタ側になるようＩＧＢＴ２２５のエミッタとコレクタ間に接続されている。
【００７３】
図６において、電流検出センサー２２７が、加熱コイル２２０と共振コンデンサ２２４の並列回路からなる共振回路２２５に流れる電流を検出する。電流検出センサー２２７の検出出力は通電制御回路２００の入力部に供給され、誘導加熱に不適当な鍋などが用いられた場合や、何らかの事故などによって正規の電流値に比較して所定値以上の差の過少電流や過大電流が検出された場合は、通電制御回路２００により駆動回路２２８を介してＩＧＢＴ２２５が制御され、瞬時に誘導加熱コイル２２０の通電を停止するようになっている。
【００７４】
右加熱源回路２０６Ｒは、誘導加熱コイル２２０と、コイル２２２及び平滑化コンデンサ２２３からなる直流回路と、駆動回路２２８と、この駆動回路によりスイッチング制御される上記ＩＧＢＴ２２５と、共振回路２２０と、フライホイールダイオード２２６と、整流ブリッジ回路２２１と、から構成されている。
【００７５】
左加熱源回路２０６Ｌは、右加熱源回路２０６Ｒと同等の回路構成であるので説明は省略する。なお、左加熱源６Ｌの最大火力は、例えば、上記したように２．５ｋＷであり、右加熱源６Ｒの最大火力設定３．０ｋＷよりも小さく設計されている。また、左加熱源回路２０６Ｌおよび右加熱源回路２０６Ｒは、所謂フル・ブリッジ回路で構成しても良い。
【００７６】
電流検出センサー２２７は、図示していないが、左加熱源回路２０６Ｌやグリル回路２０８、中央回路２０７にもそれぞれ同様に設けられている。
【００７７】
中央回路２０７は、電磁リレー２３０と電気ヒータ２３１との直列回路を有し、この回路の両端が上記母線２０２Ａ、２０２Ｂにそれぞれ接続されている。
【００７８】
通電制御回路２００から出力される駆動信号に基づき、赤外線の光信号を発生させる赤外線駆動回路２３３は、その駆動出力側に複数個（図６では３個のみ描かれている）の赤外線ＬＥＤ２３４、２３５、２３６の直列接続回路が接続されている。この直列接続回路の他端には抵抗２３７を介してトランジスタ２３８のコレクタが接続され、トランジスタ２３８のベースは赤外線駆動回路２３３に接続されている。なお、トランジスタ２３８のエミッタはアース接続されている。
【００７９】
（換気装置）
本発明になる加熱調理器の構成の一部ではなく、本発明の加熱調理器に必須の装置や部品でもない換気装置２３９が、例えば、設置空間の上方となる台所の側壁上部などに設置されている。換気装置２３９は、換気用の排気ファンを駆動するファンモータ２４３と、制御部に内蔵された赤外線受光素子となるフォトダイオード２４０と、受信回路２４１と、制御回路２４２と、を有している。すなわち、フォトダイオード２４０が赤外線ＬＥＤ２３４〜２３６の直列回路から赤外線信号を受けると受信回路２４１を通じて制御回路２４２に信号が伝達され、その信号によりファンモータ２４３が回転駆動される。
【００８０】
（表示手段の制御）
中央表示・入力部８０の液晶画面を駆動する駆動回路２４４は、表示専用のマイクロコンピュータを内蔵して構成されており、通電制御回路２００の出力部から駆動信号が入力される。また、画像表示器６０にも画像信号を供給するように電気ケーブル６２により接続されている。
【００８１】
右加熱源６Ｒの右火力表示ランプ４０Ｒを点灯させる駆動回路２４５には、通電制御回路２００から駆動信号が入力される。
右火力表示ランプ４０Ｒは、図６に示すように、合計１２個の発光ダイオード２４６〜２５７が互いに並列に接続されている回路を備えている。この並列回路の一端が駆動回路２４５に接続され、他端はそれぞれ抵抗２５８ａ〜２５８ｌを介して接地側接続点２５９に接続されている。また、左加熱源６Ｌ用の左火力表示ランプ４０Ｌも同様に構成されているが、発光ダイオードの数は１１個である。
【００８２】
右加熱源６Ｒ用の右火力表示ランプ４０Ｒは、上記したように、火力１２０Ｗから最大火力３ｋＷまでの間を１２個の発光ダイオードにより１２段階に表示できるようになっている。
【００８３】
左加熱源６Ｌ用の左火力表示ランプ４０Ｌは、図示していないが、上記したように火力１２０Ｗから最大火力２．５ｋＷまでの間を１１個の発光ダイオードで１１段階に表示できるようになっている。
【００８４】
（温度センサー）
図６において、本体１の内部空間を一定の温度範囲に保つための冷却用ファン駆動回路２６０が設けられている。温度検出回路３１１には、後述する合計１２個の温度センサーＳ１〜Ｓ７Ｌの温度データが入力される。
【００８５】
各種温度センサーは次の通り各部分に配置されている。
Ｓ１は中央加熱源７用の中央回路２０７の電気ヒータ２３１近傍に設けた温度センサーである。
Ｓ２Ａは右加熱源用回路２０６Ｒの誘導加熱コイル２２０Ｒの保持枠３３５底部外側に設けた温度センサーである。
Ｓ２Ｂは右加熱源用回路２０６Ｒの誘導加熱コイル２２０Ｒの内側中央空間部に設けた温度センサーで、主に鍋などの被加熱物Ｎからの輻射熱温度を検知する。
【００８６】
Ｓ３Ａは中央表示・入力部８０の液晶基板の前部上面に設けた温度センサーである。
Ｓ３Ｂは同じく中央表示・入力部８０の液晶基板の後部上面に設けた温度センサーである。
Ｓ４Ａは左加熱源用回路２０６Ｌの誘導加熱コイル２２０Ｌの保持枠３３５底部に設けた温度センサーである。
Ｓ４Ｂは左加熱源用回路２０６Ｌの誘導加熱コイル２２０Ｌの内側中央空間部に設けた温度センサーで、主に鍋などの被加熱物Ｎからの輻射熱温度を検知する。
【００８７】
Ｓ５は加熱室１９の天井部に設けた温度センサーである。
Ｓ６Ｒは本体１内部の右空間部３７０Ｒに設けた複数の高電圧電気部品３７１Ｒを取り付けた冷却フィン３７２Ｒに固定した温度センサー（図４参照）である。
Ｓ６Ｌは本体１内部の左空間部３７０Ｌに設けた複数の高電圧電気部品３７１Ｒを取り付けた冷却フィン３７２Ｌに固定した温度センサーである。
【００８８】
温度センサーＳ２と温度センサーＳ４とは、それぞれ１対の温度センサーから構成されている。すなわち、右加熱源６Ｒでは、金属製の容器状の右保持枠３３５Ｒ下面の覆うフェライト製板（磁束漏れ防止板）３３１Ｒの略中央部（円板形に巻いた誘導加熱コイル２２０Ｒの略中心直下）に一つの温度センサーＳ２Ａを取り付け、保持枠３３０Ｒ内部で、かつ加熱コイル２２０Ｒの中央空間部にもう一方の温度センサーＳ２Ｂを配置している。  
【００８９】
同様に、左加熱源６Ｌでは、本体１の左右中心線ＣＬを挟んで右加熱源６Ｒの温度センサーＳ２Ａ及びＳ２Ｂと対照的な位置に、温度センサーＳ４Ａおよび温度センサーＳ４Ｂをそれぞれ備えている。
なお、このように左加熱源６Ｌと右加熱源６Ｒに、それぞれ温度センサーを２個設けた目的は、保持枠３３５Ｌおよび保持枠３３５Ｒの内部と外部とで後記する冷却用ファン２６５および冷却用ファン２６６の冷却効果を検知させることにより、より正確に温度制御を実現しようとするものである。
１対の温度センサーＳ２Ａ、Ｓ２Ｂ、および１対の温度センサーＳ４Ａ、Ｓ４Ｂの個々の温度検出状態は異なり、異常温度と判定する基準温度も異なるが、左加熱源６Ｌおよび右加熱源６Ｒは主要な加熱源であり、かつ高温度になるので、温度センサーをそれぞれ一対設け、二重に監視することとしている。
【００９０】
Ｓ７Ｒは図３に示すように、パワーモジュール３２１Ｒが取り付けられたヒートシンクにそれぞれ取り付けられた温度センサーである。
Ｓ７Ｌは図３に示すように、パワーモジュール３２１Ｌが取り付けられたヒートシンクにそれぞれ取り付けられた温度センサーである。
温度センサーＳ７Ｌおよび温度センサーＳ７Ｒによる検出温度情報は温度検出回路３１１に入力される。
【００９１】
図６において、冷却用電動送風機（以下冷却用ファンと称する）２６１、２６２、２６３、２６４、２６５、２６６、２６７の運転開始、停止及び回転速度（送風能力）は、それぞれ冷却用ファン駆動回路２６０により制御される。
なお、冷却用ファン２６３の送風能力は、冷却用ファン２６４の送風能力より大きいものが選ばれている。この理由は、右側の右加熱コイル２２０Ｒの方が、最大火力が大きく、それだけ発生する熱量が大きくなるためである。
【００９２】
前記のように、１２個の温度センサーＳ１、Ｓ２Ａ、Ｓ２Ｂ、Ｓ３Ａ、Ｓ３Ｂ、Ｓ４Ａ、Ｓ４Ｂ、Ｓ５、Ｓ６Ｒ、Ｓ６Ｌ、Ｓ７Ｒ、Ｓ７Ｌからの温度データは、それぞれ温度検出回路３１１を介して全て通電制御回路２００に入力する構成になっている。
【００９３】
冷却用ファン駆動回路２６０は、温度検出回路３１１からの温度測定状況に応じ、それぞれの温度測定部分が所定温度以上高温にならないように常に冷却用ファン２６１、２６２、２６３、２６４、２６５、２６６を運転して、風で冷却されている。
なお、前記風冷によっても所定の温度以上に上昇した場合は、通電制御回路２００に温度検出回路３１１から異常温度信号が入力され、左加熱源６Ｌまたは右加熱源６Ｒや電気ヒータ２３１等の加熱源の電源が遮断されたり、制限されたり、安全動作のための保護信号が通電制御回路２００から各加熱源に向けて出力されたりする。
つまり異常検出手段はこの通電制御回路２００と温度検出回路３１１と電流検出センサー２２７等と、から構成されている。
【００９４】
図６において、商用電源２０２から主電源スイッチ２０１により通電制御回路２００を切り離す場合、その商用電源に代わり電源を供給する予備電源４００が設けられている。例えば、充電池から構成されており、商用電源２０２から通電制御回路２００の間で電気的に異常電流等の不具合が発生し、そのままでは危険な場合に通電制御回路２００自身が主電源スイッチ２０１を開放する時に接続されて使用される。
【００９５】
通電制御回路２００の内部には、図示していないが不揮発性半導体記憶メモリーが内蔵されており、加熱調理器に異常が発生してから商用電源が切れるまでの情報を記憶している。これは次に再度加熱調理器が起動した際に、通電制御回路２００が前回の故障や不具合を判断し、不用意に通電しないようにするためである。また、加熱調理器の修理業者やメーカが上記メモリーの故障履歴を読み出し、修理に役立てるようにすることもできる。  また、通電制御回路２００は、下記場合に限り、上面操作部２０の各種キーの入力を制限する構成になっている。
【００９６】
場合１：上面操作部２０の操作を検知し、最後に使用された加熱源（例えば右加熱源６Ｒなど）の通電が停止してから所定時間（例えば２分）経過した場合。
場合２：何れの加熱源も通電されていない状態で、かつ上面操作部２０における各種入力キー（６つのファンクションキー８３、９５〜９９や、３ｋＷキー８６、６つの各種操作ボタン２９、９２、９３、９４、３００、３１０、９３ａ等）が操作されてから所定時間（例えば５分）経過した場合。
これにより使用者が加熱調理器の前から離れている間に、何らかの原因で加熱調理の入力指令がされ、加熱が不用意に開始されてしまうことを防止している。この機能は、左加熱源６Ｌ、右加熱源６Ｒ及び中央加熱源７を、通電開始から所望の時間だけ通電し、以後自動的に電源を切るタイマースイッチ（図示せず）のタイマーダイアル１６、１７、１８とは別のものである。
【００９７】
一方、制限された状態から復帰させるには、以下の２つの方法に限られる。
方法１：本体ケース２の右側前面に設けられた前面操作部１０にある左操作ダイアル１２Ｌと、右操作ダイアル１２Ｒと、中央操作ダイアル１３などのいずれか一つを回動したり、前方に突出させたりする等の操作をする。
方法２：６つのファンクションキー８３、９５〜９９の中で、通常の調理では使用することが有り得ない特殊な押し方（例えば６つの中の特定な２つを５秒間だけ押し続けること）をする。
【００９８】
（本体内部の構造）
本体１の内部は、図５の縦断面図に示すように、加熱室１９を左右両側から挟むように、本体１の底面から天井面に至るような寸法を有する左仕切板２９０Ｌと右仕切板２９０Ｒとが設けられ、これら左仕切板２９０Ｌ、２９０Ｒと本体ケース２の左右側壁との間で左空間部３７０Ｌと右空間部３７０Ｒとが区画形成されている。
【００９９】
右空間部３７０Ｒに設けられた冷却フィン３７２Ｒはアルミ等熱伝導性の良い素材で形成されており、その後部側には前記冷却用ファン２６１がモータＦＭに支持されている。そしてこのモータＦＭの駆動時には、本体ケース２の背面右側位置に多数形成した吸気孔（図示せず）から外気が右空間部３７０Ｒに吸引されるようになっている。
【０１００】
同様に、左空間部３７０Ｌにも冷却用ファン２６３とモータＦＭが設置されており、そのモータＦＭの駆動時には、本体ケース２の背面左側位置に多数形成した吸気孔（図示せず）から外気が左空間部３７０Ｌ内に吸引される。
【０１０１】
右空間部３７０Ｒの前方の天井面近くには、下面に吸い込み口２６５Ａを有し、かつ一端に吹出口２６５Ｂを有するケーシングを持った冷却用ファン２６５が水平に配置されている。冷却用ファン２６５は、冷却用ファン２６１で吸い込まれ上昇してくる空気を吸い込み口２６５Ａで吸い込み、これを加熱室１９の上方において本体１の内部を上下に区画する金属製仕切板２７０（図５参照）の上方へ吹き出す。
【０１０２】
仕切板２７０は、本体１の内部を加熱室１９の上方において上下に区画する板であるため、仕切板２７０によって区画された上方空間２７５の右前方角部分から中央入力・表示部８０の方向へ、冷却用ファン２６５からの冷却風が導入される（図３の矢印Ｆ１Ｒにて示す）。
【０１０３】
同様に、左空間部３７０Ｌの前方の天井面近くには、下面に吸い込み口２６６Ａを有し、かつ一端に吹出口２６６Ｂを有するケーシングを持った冷却用ファン２６６が水平に配置されている。冷却用ファン２６６は、冷却用ファン２６２で吸い込まれ上昇してくる空気を吸い込み口２６６Ａで吸い込み、これを加熱室１９の上方において本体１の内部を上下に区画する金属製仕切板２７０の上方空間２７５へ吹き出す（図３の矢印Ｆ１Ｌにて示す）。
【０１０４】
仕切板２７０の左右前方部には、冷却用ファン２６６の吸い込み口２６６Ａの直下位置と、冷却用ファン２６５の吸い込み口２６５Ａの直下位置と、にそれぞれ連通口が開口し、それぞれ、左空間部３７０Ｌの内部の空気が冷却用ファン２６６により吸引される導入口と、右空間部３７０Ｒの内部の空気が冷却用ファン２６５により吸引される導入口と、になっている。
【０１０５】
加熱室１９の天井壁面２７３は、全体が断熱材２７２で覆われている。また、加熱室１９は、仕切板２７０によってその下方に区画形成された下方空間２７４の中に位置している。
【０１０６】
図５に示す通り、上方空間２７５の前部には、中央表示・入力部８０の液晶画面を構成する正方形の液晶基板２８０が設けられている。液晶基板２８０はその底面側が断熱材２８１で覆われ、上面だけが開口した金属製又はプラスチック製のケース２８２の内部に格納され、トッププレート５の下面から所定の空隙２８３を保つようにケース２８２により仕切板２７０の上面に固定されている（固定部材は図示していない）。なお、ケース２８２の上端には外側に広がったフランジ部２８２Ａが形成されている。
【０１０７】
ケース２８２の全周亘り計４個の連通孔２７１が形成されている。液晶基板２８０の上方に冷却用ファン２６５、２６６からの風の一部が通過することにより、液晶基板が高温度にならないようにしている。ケース２８２の底面には風の流れる方向（図２に破線で示している方向）に、数列の放熱フィン２８４が一体に形成され、ケース２８２の空冷性能が高まるようにしてある。
【０１０８】
図５に示すように、天ぷらなどの揚げ物を調理した大型（大口径）の鍋Ｎがトッププレート５の上に長時間置かれた場合（一点鎖線にて示す）、特に、鍋Ｎの位置が正規の位置より中央入力・表示部８０に接近し過ぎて置かれた場合、鍋Ｎからの熱が中央入力・表示部８０に伝わりやすくなり、温度が異常に上がる原因になることが考えられるので、連通孔２７１を設けて冷却風の流れを良くしている。
【０１０９】
同じく、図５において、赤外線ＬＥＤ２３４（図６参照）が、液晶基板２８０の後端と断熱材２８１の間に設けた溝状空間２９１に配置されている。また、図示していないが他の赤外線ＬＥＤ２３５、２３６（図６参照）も直ぐ横に一列に置かれ、トッププレート５を透過して換気装置２３９の方角へ赤外線駆動信号を放射するようになっている。
なお、枠体４の上壁面や上面操作部２０を構成する外表面の一部に開口を設け、その開口を赤外線透過材で覆い、この透過材の下方に上記赤外線ＬＥＤ２３４〜２３６の一部又は全部を設けても良い。
【０１１０】
本体１の上面操作部２０の下方全体に亘って電気絶縁性取付基板（以下、「制御基板」と称す）２９２が水平に設けられている。制御基板２９２には、上面操作部２０の各種入力スイッチ類、例えば操作ボタン９２により操作される操作スイッチやファンクションキー９７で操作される複数個のスイッチなど上面操作部２０に関係のある電気部品群２９３が搭載されている。なお、これら電気部品群は比較的低圧・小電流が供給されるものに制限されている。
【０１１１】
制御基板２９２の下方に一定の空隙２９５を置いて制御基板２９２と略平行に、電気絶縁性取付基板（以下、「制御基板」と称す）２９４が設置されている。制御基板２９４の一部は中央表示・入力部８０の液晶基板２８０の下方にまで至る大きさを有し、中央表示・入力部８０やその駆動回路２４４を構成する表示用のマイクロコンピュータ等の電気部品類２９８が搭載されている。
一定の間隔で複数個設けた取付脚２９６Ａ、２９６Ｂが、制御基板２９２、２９４を本体１の内部に固定している。また、取付脚２９６Ａ、２９６Ｂの一部は仕切板２７０に載置固定されている。
【０１１２】
また、制御基板２９４の下方にも一定の空隙２９７が形成され、冷却用ファン２６５、２６６からの風が流通して雰囲気温度を下げるようになっている。これにより、トッププレート５自体やその上方から伝達される鍋Ｎ等の熱によって制御基板２９２、２９４上の電気部品類２９３、２９８が高温にならないようにしている。
【０１１３】
図３に示す通り、液晶基板２８０周辺のケース２８２やその周辺のトッププレート５は、冷却用ファン２６５、２６６から送られて来る冷却風の流れＦ１Ｒ、Ｆ１Ｌに晒されるため、それらにより冷却される。また同時に電気部品類２９３、２９８も冷却される。
【０１１４】
中央操作部２３の操作スイッチ類と電気部品類２９３とは配線２９９によって連結され、同じくファンクションキー８３、９５〜９９には配線２９９Ｂが連結されている。
【０１１５】
また、６つのファンクションキー８３、９５〜９９等と枠体４との間には密封用シールパッキン材３３３が設置されている。
【０１１６】
（表示手段の配置）
中央表示・入力部８０の液晶画面を構成する正方形の液晶基板２８０は、図２に示す縦寸法Ｈと横寸法Ｗがそれぞれ８０ｍｍ程度であり、ケース２８２も正方形である。
ケース２８２は、左加熱源６Ｌと右加熱源６Ｒとの距離が略等しくなるように配置されている。すなわち、左加熱源６Ｌの加熱コイル２２０Ｌの最外周縁との距離（以下、「左右対向間隔」と称す）ＣＢと、加熱コイル２２０Ｒの最外周縁との距離（以下、「左右対向間隔」と称す）ＳＡと、は略同じに設定されている。
【０１１７】
左右対向間隔ＳＢおよび左右対向間隔ＳＡは、左加熱源６Ｌおよび右加熱源６Ｒの上方に置かれる鍋Ｎからの距離、輻射熱の強さ等を考慮し、一定の限度以上になっている。なお、鍋Ｎが置かれる位置は使用の都度一定ではなく、ばらつきが出るので、色々な可能性を考慮して左右対向間隔ＳＢおよび左右対向間隔ＳＡを決めている。
なお、図７以降の図面において、中央表示・入力部８０の液晶画面が各種表示機能の説明上、横長の長方形に描いてあるが、上記したように正方形であってもよい。
【０１１８】
図３において、右加熱源６Ｒの加熱コイル２２０Ｒを収容した保持枠３３５Ｒの外周縁の最前の位置に接する直線を横方向直線ＲＬとし、左加熱源６Ｌの加熱コイル２２０Ｌを収容した保持枠３３５Ｌ外周縁の最前の位置に接する直線を横方向直線ＬＬとしている。このとき、横方向直線ＲＬと横方向直線ＬＬとが横方向の一直線上に一致している。
右加熱源６Ｒの右保持枠３３５Ｒの最後部と、左加熱源６Ｌの左保持枠３３５Ｌの最後部とを結ぶ直線を横方向直線ＢＬにて示している（図２参照）。
【０１１９】
そうすると、前後方向を横方向直線ＲＬ（横方向直線ＬＬに同じ）と横方向直線ＢＬとによって挟まれ、左右方向を左加熱源６Ｌと右加熱源６Ｒとによって挟まれた範囲が、かかる加熱源が対向する空間（以下「対向空間」と称する）ＳＳに相当している。
そして、中央表示・入力部８０は、その最後部が対向空間ＳＳの内部に入るように対向空間ＳＳ前方から対向空間ＳＳの内側にまで設置されている。例えば、中央表示・入力部８０は、液晶基板２８０の縦寸法（Ｈ）の三分の一以上の長さが対向空間ＳＳに入っている。
【０１２０】
さらに、中央加熱源７の断熱性断熱カバー７Ａの外周縁とケース２８２の胴部の最後端面との距離（以下、「前後対向間隔」と称す）ＳＣは、左右対向間隔ＳＡおよび左右対向間隔ＳＢと同等か、若しくはそれよりも大きく設定されている。
特に、実施の形態１では中央加熱源７が熱輻射形の電気ヒータであるから、輻射熱の影響を極力減らすためには、誘導加熱タイプの左加熱源６ＬＲ、右加熱源６Ｒの左右対向間隔ＳＢ、ＳＡよりも、一定以上大きな前後対向間隔ＳＣを確保している。
なお、ケース２８２の胴部とはフランジ部２８２Ａを除いた部分をいい、図３では直線ＸＬが、ケース２８２の胴部の最後部を示す位置である。この実施の形態において、ＳＡは２０ｍｍ、ＳＢは２０ｍｍ、ＳＣは１００ｍｍである。
【０１２１】
図３において、仕切板２７０の後端部に吸気口３２０Ｒ、３２０Ｌがそれぞれ形成され、吸気口３２０Ｒ、３２０Ｌは左空間部３７０Ｌ、右空間部３７０Ｒにそれぞれダクト（図示せず）によって連結されている。なお、本体ケース２の背壁面に直接空気取り入れ口を開口させ、そこから外部の空気を取り入れるようにしても良い。
【０１２２】
仕切板２７０の上方空間２７５の左右後部に、１対の電気絶縁性素材から成形された保護カバー３２４Ｒ、３２４Ｌが設置されている。保護カバー３２４Ｒ、３２４Ｌは、平面形状は左右対称的になっており、背面側３２４Ａと前面側が開口した逆Ｕ字断面形状を有している。
【０１２３】
放熱用フィンを有するヒートシンクに取り付けられたパワーモジュール３２１Ｒと、共振用コンデンサ２２４やコイル２２２等からなる高電圧・大電流が流れる電気回路部品群３２５Ｒと、によって高周波電力変換回路が構成されている。この高周波電力変換回路は保護カバー３２４Ｒで覆われた電気絶縁性の制御基板（図示せず）上に設置されている。
【０１２４】
中央加熱源７側の保護カバー３２４の壁面には傾斜させた案内面３２４Ｂが設けられている。左側の保護カバー３２４Ｌの下側にも、同様にパワーモジュール３２１Ｌや共振用コンデンサ２２４などを備えた高電圧・大電流の電気回路部品群３２５Ｌが収容されている。
【０１２５】
冷却用ファン２６３を囲むような形状を有したファンケース３２３は、背面側開口を吸込口３２３Ａにし、前方には吹出口３２３Ｂを有している。なお、ファンケース３２３の内部には風を案内するガイド部材など風路の一部を構成する部材が設けてあるが、図示省略してある。また、冷却用ファン２６３はモータの回転軸２６３Ａを具備している。
【０１２６】
ファンケース３２３は保護カバー３２４Ｒの前方端面に吸込口３２３Ａを接続し、冷却用ファン２６３の運転時には、矢印ＦＲに示すように吸気口３２０Ｒから空気を導入し、右加熱源６Ｒの加熱コイル２２０Ｒへ向かうような、矢印Ｆ２Ｒに示す冷却風が吹き出される。
また、中央加熱源７側のファンケース３２３の壁面には傾斜させた案内面３２３Ｃが設けられている。
【０１２７】
冷却用ファン２６４を囲むような形状を有したファンケース３２５は、背面側開口を吸込口３２５Ａにし、前方には吹出口３２５Ｂを有している。なお、このファンケース３２５の形状は、左右中心線ＣＬを挟んでファンケース３２３と左右対称形になっている。また、冷却用ファン２６４はモータの回転軸２６４Ａを具備している。
【０１２８】
ファンケース３２５は、ファンケース３２３と同様に、その吸込口３２５Ａを保護カバー３２４Ｌの前方端面に接続し、冷却用ファン２６４の運転時には、矢印ＦＬに示すように吸気口３２０Ｌから空気を導入し、左加熱源６Ｌの加熱コイル２２０Ｌへ向かうような、矢印Ｆ２Ｌに示す冷却風が吹き出される。
【０１２９】
図３に示すように、左加熱源６Ｌおよび右加熱源６Ｒを冷却した冷却風の風路は、中央表示・入力部８０の液晶画面から後方の左排気口７５に至る間で、次第にその風路の幅が狭くなる。
つまり、仕切板２７０の上方には、ファンケース３２３、３２５の案内面３２３Ｃ、３２５Ｃ同士、保護カバー３２４Ｒ、３２４Ｌの左右の案内面３２４Ｂ同士で、風路が区画形成されているが、その風路は幅を順次狭くしながら左排気口７５の真下に至っているためである。すなわち、図３に示したように中央加熱源７の横幅Ｗ１と、二つの右排気口７４および左排気口７５の幅の合計（以下。「横幅寸法Ｗ２」と称す）と、保護カバー３２４Ｒ、３２４Ｌ同士の間隔（以下、「対向壁面間寸法Ｗ３」と称す）と、の関係は、「Ｗ３＞Ｗ２＞Ｗ１」となっている。
【０１３０】
これにより図３に矢印Ｆ４で示したように、右排気口７４に至る排気の風路の圧力損失を小さくしてスムーズに冷却風を本体１の外部へ放出することができる。なお、図３において３２６Ｌ、３２６Ｒは保護カバー３２４Ｌ、３２４Ｒの背面側３２４Ａと本体ケース２背面との間を塞いだ板であり、これにより吸気口３２０Ｌ、３２０Ｒと左排気口７５とが連通しないようにしている。
【０１３１】
一方、加熱室１９から右排気口７４に至るまでは排気ダクト７６により区画され、途中で上方空間２７５と交わることが無い。したがって、上方空間２７５を流れる冷却風は加熱室１９から排気ダクト７６を経由して排出される排気に干渉されず、本体１の外部に排出される。
【０１３２】
仕切板２７０の下方空間で加熱室１９の上方の雰囲気も、グリル調理時などグリルヒータ１１０Ａの熱で温度が上昇する可能性がある。このため、図５に矢印Ｆ５で示すように強制的に対流を起こしたり、対流を促進したりする等の改良が適宜考えられる。なお、下方空間２７４の空気を最後はダクトで左排気口７５の隣接位置（後方や横）に案内して、本体１の外部に排気するようにしても良い。
【０１３３】
（加熱調理器の動作）
次に、上記の構成からなる加熱調理器の動作の概要を説明する。電源投入から調理準備開始までの基本動作プログラムが、通電制御回路２００の内部にあるマイコンに格納されている。
（通常ステップ１）電源プラグを２００Ｖの商用電源に接続し、主電源スイッチ２０１を押す。
（通常ステップ２）すると定電圧回路２３２を介して所定の低い電源電圧が通電制御回路２００に供給される。
【０１３４】
（通常ステップ３）通電制御回路２００が起動され、自身の制御プログラムを自己診断、チェックし、異常がない場合には冷却用ファンの駆動回路２６０、左加熱源６Ｌおよび右加熱源６Ｒの駆動回路２２８、中央入力・表示部８０の液晶表示部の駆動回路２４４、をそれぞれ起動する。
（通常ステップ４）さらに、駆動回路２２８は左加熱源６Ｌおよび右加熱源６Ｒに小電力を流し、その電流の状態から回路構成に異常がないことをチェックする。
【０１３５】
（通常ステップ５）さらに、冷却用ファン駆動回路２６０は冷却用ファン２６１、２６２、２６３、２６４、２６５、２６６、２６７を所定の定格電流で運転開始する。温度検出回路３１１は合計１２個所に設けた各温度センサーＳ１、Ｓ２Ａ、Ｓ２Ｂ、Ｓ３Ａ、Ｓ３Ｂ、Ｓ４Ａ、Ｓ４Ｂ、Ｓ５、Ｓ６Ｒ、Ｓ６Ｌ、Ｓ７Ｒ、Ｓ７Ｌからの温度データを読み込み、そのデータを通電制御回路２００に送る。
【０１３６】
以上のようにして通電制御回路２００には、主要な構成部分の回路電流や電圧、温度などのデータが集まるので、調理前の異常監視制御として、異常加熱判定を行なう。例えば、中央表示・入力部８０の温度がその液晶表示部の耐熱温度（例えば７０℃）よりも２１℃以下低い（４９℃以下）場合は、異常高温ではないと判定する。逆に言えば５０℃以上になると異常高温と判定される。
【０１３７】
（通常ステップ６）次に、電流検出センサー２２７は、加熱コイル２２０と共振コンデンサ２２４の並列回路からなる共振回路２２５に流れる電流を検出し、この検出出力は通電制御回路２００の入力部に供給され、何らかの事故や導通不良などによって正規の電流値に比較して過少電流や過大電流が検出された場合は、通電制御回路２００は異常と判定する。
【０１３８】
以上の自己診断ステップによって異常判定が無かった場合は「調理開始準備完了」となる。しかし異常判定が行なわれた場合は、「異常時処理」が行なわれる。
【０１３９】
（調理前の異常時処理）
（異常処理ステップ１）調理前の異常時処理では、まず異常の内容からその異常状態を加熱調理器自身で是正できるかどうか判定する。
（異常処理ステップ２）例えば、中央表示・入力部８０の温度がその液晶表示部の耐熱温度（例えば７０℃）よりも２１℃以上低くはなく、１５℃低い（つまり５５℃である）場合は、その液晶表示部を冷却用ファン２６２でより強力に冷却するか、または中央表示・入力部８０の液晶表示部上方近傍のトッププレート５上に、高温の加熱調理器具（例えば天ぷらを行なった直後の鍋）が置かれている場合も考えられるので、その鍋を使用者に注意喚起して移動させてもらえば良い。
（異常処理ステップ３）しかし、異常状態を加熱調理器自体で直接是正できないものと判断される異常データを受けた場合（上記のように、使用者に鍋の移動を促すことも含まれる）は、直ちに異常表示の動作に入る。
【０１４０】
（異常処理ステップ４）是正処理が可能であると判断された異常情報については「異常の是正処理」が実行される。
（異常処理ステップ５）例えば、上記したように、中央表示・入力部８０の温度がその液晶表示部の耐熱温度（例えば７０℃）よりも２０℃以上低くはなく、１５℃低い（つまり５５℃である）場合は、その液晶表示部を冷却用ファン２６５、２６６でより強力に冷却するため、冷却用ファン２６５と２６６の双方の供給電力を平常時よりも５％増加させて運転継続する。同時に冷却用ファン２６３、２６４による送風量も増加させる。
【０１４１】
（異常処理ステップ６）そして、冷却用ファン２６５、２６６が強運転を開始した後、３０秒間間隔で監視し、所定時間経過後（例えば３分後）に、再度中央表示・入力部８０の温度を温度センサーＳ３Ａ、Ｓ３Ｂにより測定した検出温度が、その液晶表示部の耐熱温度（例えば７０℃）よりも１５℃低い（つまり５５℃である）状態よりも悪化し、６０℃を超えている場合は、「危険状態」であると判断する。
【０１４２】
（異常処理ステップ７）そして、中央表示・入力部８０が異常高温になっているとの警報メッセージをその液晶表示部にて表示する。具体的には表示エリアＥに文字で異常の内容を表示する。
（異常処理ステップ８）そして、この異常高温が例えば１分以内に解消されない場合には、通電制御回路２００は４９℃以下に低下するまで（但し、最長でも例えば５分間）冷却用ファン２６３、２６４、２６５、２６６を運転した後、予備電源４００に接続を切り換え、主電源スイッチ２０１を強制的に開放し、商用電源２０２から切り離す。
これにより中央表示・入力部８０の液晶表示部が高温で変形したり焼損したりする事故を未然に防止することができる。
【０１４３】
（異常処理ステップ９）そして中央表示・入力部８０に異常表示した時点から所定時間（例えば１０分間）経過後、駆動回路２４４を介して中央表示・入力部８０の通電を遮断する。
（異常処理ステップ１０）そして、通電制御回路２００の不揮発性メモリー（図示せず）に、異常発生後、通電遮断までの上記経緯、異常な温度データ等を記憶させる。以上で異常処理が終了する。
【０１４４】
（調理モード）
次に、調理前異常監視処理を終えたあとに調理モードに移行した場合について、右加熱源６Ｒを使用した場合を例にして説明する。
（調理ステップ１）まず、前面操作部１０の右操作ダイアル１２Ｒを右か左へ回す（回した量に応じて火力が設定される）。
【０１４５】
（調理ステップ２）前面操作部１０からの操作信号が通電制御回路２００に入力され、また上面操作部２０からの各種入力キー（９５など）操作信号が通電制御回路２００に入力され、火力レベルや加熱時間などの調理条件が設定される。
【０１４６】
（調理ステップ３）通電制御回路２００が駆動回路２２８を駆動し、右加熱源回路２０６Ｒを駆動する。また中央表示・入力部８０が駆動回路２４４に駆動されるので、その表示エリアＣ１、Ｃ２には火力や調理時間などの調理条件が表示される。
【０１４７】
（調理ステップ４）駆動回路２２８はＩＧＢＴ２２５のゲートに駆動電圧を印加するので、加熱コイル２２０に高周波電流が流れる。これにより加熱コイル２２０からの高周波磁束により鍋が高温になる。これ以後は電磁誘導過熱調理動作（調理モード）に入る。
【０１４８】
（調理中の異常監視）
この加熱調理器における調理中の異常監視制御は、異常加熱監視処理、異常電圧監視処理、異常電流監視処理の３つの監視段階を有している。
【０１４９】
調理中の異常加熱監視処理は、上記した調理前の異常監視制御における異常高温ではないかどうかの判定処理と同様であるが、加熱調理を開始した後であるから、過熱の原因としては左加熱源６Ｌおよび右加熱源６Ｒ、中央加熱源７などが加わる。
また、調理中の異常電流監視処理は、上記したように誘導加熱に不適当な鍋などが用いられた場合や何らかの事故などによって正規の電流値に比較して過少電流や過大電流が検出された場合を監視するものであり、この異常の対処方法のひとつは、通電制御回路２００により駆動回路２２８を介してＩＧＢＴ２２５を制御し、瞬時に誘導加熱コイル２２０の通電を停止することである。
【０１５０】
調理中の異常監視制御は、各種加熱源の調理中における異常監視制御の段階と、加熱調理器本体１の異常監視制御の２段階から構成されている。
調理中の加熱源異常監視は、右加熱源６Ｒの異常監視、左加熱源６Ｌの異常監視、中央加熱源７の異常監視、グリル調理等を行なう加熱室１９の異常監視からなる。
【０１５１】
調理中における加熱調理器本体１の異常監視制御の内、異常な温度の監視制御としては、本体１の左空間部３７０Ｌと右空間部３７０Ｒとの電気部品の異常温度監視、保護カバー３２４Ｒ、３２４Ｌ内部の高周波電力変換回路の異常温度監視、左加熱源６Ｌおよび右加熱源６Ｒの異常温度監視、中央表示・入力部８０の温度異常監視から成る。
【０１５２】
実際の調理過程において、温度センサーＳ３Ａの検出温度が、中央表示・入力部８０の液晶表示部の耐熱温度（例えば７０℃）よりも２１℃以下低い（４９℃以下）を超えて５０℃になった場合は、異常高温と判定される。
【０１５３】
異常が是正可能なものであると判断され、しかも例えば右加熱源６Ｒが異常発生元であると判定判断された場合は、中央表示・入力部８０において当該異常な加熱源６Ｒの表示エリアが拡大処理される。そして、表示エリアＣ２が拡大された状態を使用者が十分認識できる時間維持した後（例えば数分後）に、自動的に元のエリア面積の画面表示に戻るが、異常が発生している右加熱源６Ｒの名称の下に「高温異常」という警告表示が赤い文字などで表示される。
なお、通常画面に自動的に復帰せず、使用者が十分異常内容を確認し、確認のキー操作を行なった場合にのみ画面が元の状態に戻るようにしても良い。
【０１５４】
このような異常状態警告表示を行い、使用者に異常状態を是正するための注意喚起や協力、確認を求めるメッセージを表示エリアＥで行なうことができる。
【０１５５】
次に、異常是正可能と判断された異常に対しては、異常是正処理が実行される。例えば右加熱源６Ｒが異常高温になっていると判定された場合は、次の順序で通電制御回路が是正指令を発する。
（是正指令１）右加熱源６Ｒの右加熱コイル２２０Ｒを空冷している冷却用ファン２６３と、その上流側にある冷却用ファン２６１の回転数を増加させるため、その通電量を平常運転時に比較して（例えば５％）増大させ、冷却風量を増加させる。
この状態を１分間継続しても改善の効果が現れない場合は、次に、（是正指令２）右加熱源の火力（電力）を（使用者が設定したものから）下げる。例えば、１段階下の火力、３００Ｗ下の火力、又は１０％の火力、の３者の内で、最大の火力までダウンさせる（３ｋＷ火力で使用していた場合は、２．７ｋＷに下げる）。この場合表示エリアＣ２では火力を自動的に下げることを予告表示する。
【０１５６】
右加熱源６Ｒで異常が発生し、表示エリアＣ２が拡大された時点から所定の短時間（例えば１分〜３分）以内に高温異常状態が解消したかどうかを確認するため、通電制御回路２００は異常の有無を再度判定する。
【０１５７】
温度検出自体が数秒おきに行なわれており、通電制御回路２００はその都度異常の有無を再判定しているので、１分以内でも、右加熱源６Ｒの温度センサーＳ２の検出温度が所定温度（例えば、３００℃に）、あるいは液晶表示部の温度センサーの検出温度が所定温度（例えば７０℃）になった場合、通電制御回路２００はその異常の有無の再判定処理で、「危険状態」と判定する。
【０１５８】
異常状態の判定がされた場合は、右加熱源６Ｒの通電を停止する。そのため使用者が液晶画面表示を見れば、温度異常上昇で自動停止したことが容易に理解できる状態になる。
【０１５９】
上記再判定処理で、異常と判定された判定基準値以下（例えば右加熱源６Ｒの温度が２８０度未満に、また中央表示・入力部８０の温度が４９℃以下）に戻っていない限り、正常な加熱調理動作（正常調理モード）には復帰させず、再判定処理のステップに処理を戻すことを繰り返す。このように加熱源異常監視と本体１の異常監視が調理中に反復・継続して行なわれる。
【０１６０】
なお、右加熱源６Ｒの通電停止指令を出し、右加熱源６Ｒの通電は停止されるが、その加熱源の加熱コイル２２０Ｒを冷却している冷却用ファン２６３は、前記通電停止後も２分間〜５分間運転継続する。
但し、冷却用ファン２６３からの異常電流が検出される等、冷却用ファン自体の故障であることが判明した場合は、その冷却用ファンへの通電も同時に停止する。また、この運転継続時間は、通電停止までの温度上昇の様子や室内気温、加熱源の運転火力大小等の条件に対応して通電制御回路２００が予め決められた算式や数値テーブルから決定する。
これにより、冷却用ファン２６２からの送風停止直後から右加熱源６Ｒの温度が急激に上昇するというオーバーシュート問題も未然に防ぐことができる。また、中央表示・入力部８０の温度が高くなるという弊害も防ぐことができる。
【０１６１】
冷却用ファン２６３が運転されている間は、冷却用ファン２６１は運転される。冷却用ファン２６１は冷却用ファン２６５に対する冷気供給の役目もあるので、右加熱源６Ｒの異常で冷却用ファン２６３が停止しても、冷却用ファン２６１は運転継続される。
【０１６２】
一方、右加熱源６Ｒの使用中に、中央加熱源７も使用されていた場合、冷却用ファン２６３の運転と同時に冷却用ファン２６４も運転されているので、この場合は右加熱源６Ｒの通電を停止しても、冷却用ファン２６３は運転を継続させる。
何故ならば、中央加熱源７はラジアントヒータ等が使用され通電開始後短時間で高温になることが特長であるので、その加熱源７の周囲の空気を冷却していないと、上方空間２７５の後部やトッププレート５が高温になるからである。
【０１６３】
右加熱源６Ｒが火力強（例えば３ｋＷ）で使用されている状況と異なり、しかも右加熱源６Ｒは発熱を停止するので、冷却用ファン２６３、２６４の運転は弱運転に切り換えて継続される場合もある。また、この冷却用ファン２６４と同期して運転される冷却用ファン２６２も右加熱源６Ｒが通電停止され、その電源部分を構成する電気部品３７１Ｒは自己発熱しない状況にあるので、弱運転に自動的に切り換えられる場合もある。
【０１６４】
冷却用ファン２６３、２６４の運転能力切り換え制御は、中央加熱源７の温度センサーＳ１からの温度情報や、右加熱源６Ｒの加熱コイル２２０Ｒの温度センサーＳ２Ａ、Ｓ２Ｂ、左加熱源６Ｌの加熱コイル２２０Ｌの温度センサーＳ４Ａ、Ｓ４Ｂ、中央表示・入力部８０の温度センサーＳ３Ａ、Ｓ３Ｂ等の温度情報を見て通電制御回路２００が最適値を決めるようになっている。
【０１６５】
異常状態で停止した加熱源の表示エリアにはその旨表示が行われ、表示面積が拡大された表示エリアＣ２に異常高温停止した旨が文字で示され、この状態で所定時間に渡って表示を継続したあと、表示エリアＣ２の面積は、他の加熱源６Ｌの表示エリアＡ２と同等の程度に戻り、他の加熱源の調理進捗状態や設定条件の確認が平常時と同様にできるようになる。
【０１６６】
中央表示・入力部８０の液晶基板２８０は、左加熱源６Ｌ、右加熱源６Ｒ、右加熱源６Ｒの通電時には加熱された鍋Ｎの底部からの反射熱やトッププレート５からの輻射熱で加熱される。
また、使用した高温のてんぷら鍋がそのままトッププレート５上に置かれている場合もその高温の鍋（２００℃近くある）からの熱を受ける。また、中央加熱源７の通電時には、その温度は３００℃以上にもなる。断熱カバー７Ａがあるものの、真上のトッププレート５が高温度になることやその上に置かれる鍋底からの反射熱を液晶基板２８０は受ける。
【０１６７】
実施の形態１では、中央表示・入力部８０の液晶基板２８０の温度上昇を抑制するため、冷却用ファン２６３、２６５により右側から空冷し、また左側からは冷却用ファン２６４、２６６で空冷するようにしている。
【０１６８】
中央加熱源７、左加熱源６Ｌ、右加熱源６Ｒの何れかが通電された場合、冷却用ファン２６３、２６４、２６５、２６６の４つが運転され、中央表示・入力部８０の液晶基板２８０に向けて図３に示す矢印Ｆ１Ｒ、Ｆ１Ｌ、Ｆ２Ｒ、Ｆ２Ｌのように冷却用の空気を送る。このため、その空気の一部は液晶基板の底面側を通り、ケース２８２の底面と側面外側を冷却する。また、その空気の一部はケース２８２の全周に亘り計４個形成した連通孔２７１から液晶基板２８０の上方空間に入り、液晶基板２８０の上面温度が異常高温にならないように冷却する。
【０１６９】
冷却用ファン２６５、２６６から吹き出された風は、制御基板２９２と制御基板２９４との上下両面に沿っても流れるため、それら制御基板２９２、２９４に搭載された電気部品群２９３、２９８の温度上昇も抑制される。
トッププレート５の温度が上昇すると、制御基板２９２、２９４や電気部品群２９３、２９８も熱的影響を受けることになるが、上記したように冷却用ファン２６５、２６６から吹き出された風が流れ、周囲の雰囲気が停滞しないから異常温度上昇が防止される。
【０１７０】
液晶基板２８０の周辺を冷却する風の一部は、ケース２８２の底面に形成された数列の放熱フィン２８４に沿って後方に案内される。そして、冷却用ファン２６５、２６６から吹き出された風は冷却用ファン２６３、２６４からの冷却風と合流し、図３に示す矢印Ｆ３、Ｆ４のように本体１後方へ流れる向きを変え、中央加熱源７の周囲を冷却する。
当然ながらこのような一連の空気の流れにより、トッププレート５はその下面が冷却されるので、トッププレート５の上面（表面）の温度上昇も抑制され、使用者がトッププレート５に触れても火傷などの事故が防止される。
【０１７１】
なお、既存のテレビや液晶モニター等の画像表示器６０を加熱調理器本体１に接続していた場合、中央表示・入力部８０の液晶基板２８０の表示画面に表示されるのと同じ情報が画像表示器６０に表示される。従って、使用者は加熱調理器本体１が設置された台所の壁方向に向いて大きな画面で加熱調理器の運転状況を確認できる。
なお、画像表示器６０が一般のテレビ放送を受信して放映している場合には、例えば、スーパーインポーズ回路手段を経由して通電制御回路２００や駆動回路２４４からの表示情報を画像表示器６０に送れば、テレビ番組を視聴しながら、その画面の一部に加熱調理器の調理条件情報や調理進捗情報、異常警報等を報知することが可能となる。
【０１７２】
本発明の実施の形態１は、前記したように液晶基板２８０が従来のものに比較して遥かに大型（大面積）であり、使用者に対する調理条件や、調理進行状態、異常状態等の各種表示をより的確に、認識し易いように表示することができる。
そして、この実現のため、実施の形態１では、液晶基板を正方形にし（実際に表示画面として機能する部分も正方形になっている）、前後方向の後端の位置が右加熱源６Ｒの加熱コイル２２０Ｒの外周縁の最前位置ＲＬと、左加熱源６Ｌの加熱コイル２２０Ｌの周縁の最前位置ＬＬよりも後ろの直線ＸＬの位置まで、液晶画面の縦寸法Ｈの３分の１以上が入り込む形にした。
【０１７３】
理論的には、液晶画面を棒状の横長形状にしたり、小さい表示面積のものを複数個点在させたりする形態も考えられるが、使用者からみた使い勝手、視認性という観点では問題が多い。
また、左加熱源６Ｌおよび右加熱源６Ｒの加熱コイル２２０Ｒ、２２０Ｌや中央加熱源７の電気ヒータ２３１等は、鍋などの加熱調理器器具が殆んど円形であることから、加熱効率の面で円形にならざるを得ない。このように、実際の実用性、加熱効率などの面から加熱コイル２２０Ｒ、２２０Ｌや中央加熱源７の電気ヒータ２３１等は殆んど円形かそれに近似した形状にしなければならない。
【０１７４】
そこで、このような実際の制約から、本発明の実施の形態１では、液晶画面を正方形にし、その後端の位置が右加熱源６Ｒの加熱コイル２２０Ｒ外周縁の最前位置ＲＬおよび左加熱源６Ｌの加熱コイル２２０Ｌ周縁の最前位置ＬＬの何れの位置よりも後ろの直線ＸＬの位置にまで入り込む形にした。言い換えると対向空間ＳＳの内側にまで液晶基板２８０が入り込む配置としている。
このように、液晶基板２８０は、左加熱源６Ｌおよび右加熱源６Ｒの加熱コイル２２０Ｌおよび加熱コイル２２０Ｒが対向している対向空間ＳＳの奥にまで臨ませたものである。
【０１７５】
以上のように実施の形態１では、液晶画面とトッププレート５の下方空間に設置される加熱源６Ｒ、６Ｌ、７の外周縁との左右対向間隔ＳＡ、ＳＡ、前後対向間隔ＳＣを考慮し、トッププレート５の下方で、かつその左右中央部に、中央表示・入力部８０の液晶画面を配置したものである。
これにより、液晶画面２８０によって左加熱源６Ｌ、右加熱源６Ｒ、中央加熱源７の加熱条件の確認や調理進捗状態、異常発生状態等を集中して把握することができる。すなわち、使用者が加熱源毎に個々の設置された画面を確認する負担に比べれば、大幅に負担を軽減することができる。
【０１７６】
以上のように実施の形態１においては、
被加熱物が置かれるトッププレート５を備えた平面形状が長方形の本体１と、
本体１のトッププレート５の下方に設置され、トッププレート５を介して電磁エネルギー又は熱エネルギーを供給する複数の加熱源６Ｌ、６Ｒ、７と、
加熱源６Ｌ、６Ｒ、７の加熱量や加熱時間等の調理条件を制御手段２００に入力する入力手段と、
該入力手段から入力された前記複数の加熱源６Ｌ、６Ｒ、７の調理条件を本体１の上方から視認できるよう表示する方形画面の中央表示・入力部８０と、
を備え、
加熱源６Ｌ、６Ｒは、本体１の左右方向に所定間隔を置いて配置され、
中央表示・入力部８０の一部が、加熱源６Ｌ、６Ｒの対向空間ＳＳ内に侵入しているため、
多種類の調理に対応できる加熱調理器において、煩わしい調理条件の確認や調理実行の状況が共通の画面を見ながら実行できる。
【０１７７】
しかも、前記共通の画面に各加熱源と電気部品の異常発生状態も表示されるので、使用者が調理の途中においても異常の発生を迅速、かつ容易に認識することができ、安全性が向上する。
また、加熱調理器が異常加熱等の状況にあることも、前記共通の画面において使用者に報知し、無用な混乱を招かないようにすることができる。
【０１７８】
加熱調理器の上面部（トッププレートの下方含む）に液晶表示面等の表示手段を設けると、使用者が調理の途中でもそれを視認しやすいが、加熱調理器の上面は複数の加熱源による加熱スペース（鍋を置くスペースなど）が必要であり、表示の情報量を増やすために単純に表示手段を大型化し、表示面積を広くするという手法が採用できない。しかし、上記した実施の形態１では、一つの共通な表示手段である中央表示・入力部を複数の加熱源の設置空間スペースを有効に活用しているので、上記のような加熱スペースの制約がある中でも、表示手段としての機能を十分に発揮させることが可能になる。
【０１７９】
また、中央表示・入力部８０には、特定の加熱源だけの調理条件を表示させた場合、当該調理の特有の注意事項、又は被加熱物の種類等の参考情報が自動的に表示されるガイドエリア８１Ｅを設け、このガイドエリアに異常時の情報やその対処に関する情報等も異常時に表示させるようにしたので、調理条件の入力操作や調理の手助けをすることができ、利便性が向上するとともに、異常時での対処方法や異常運転しない使用方法等の注意喚起も出来、使用者がより安心して、より安全に使用できる環境を提供できる。
【０１８０】
なお、実施の形態１においては、上記した特別な構成により、以下のような効果も同時に期待できる。
（１）トッププレートの下方空間２７４に左加熱源６ＬＲおよび右加熱源６ＲＬを配し、この間に別の中央加熱源（中央ラジエントヒータ等）７を配置し、下方空間２７４において左加熱源６Ｌおよび右加熱源６Ｒを冷却した冷却風が、中央加熱源７を冷却して本体１後部の右排気口７４から排気されるように構成し、中央加熱源７の両側には、ファンケース３２３、３２５の案内面３２３Ｃ、３２５Ｃ同士、保護カバー３２４Ｒ、３２４Ｌの左右の案内面３２４Ｂ同士で、風路が区画形成されているので、それぞれの加熱源６Ｌ、６Ｒ、７を冷却した後の排気流をスムーズに左排気口７５まで案内することができる。
【０１８１】
（２）上記風路は、左排気口７５に近づくにその間隔が狭くなるように形成しているので、本体１の下方空間２７４を流れる冷却用空気をスムーズに排出することができる。
【０１８２】
（３）風路を区画形成する手段として、左右両側に設けた保護カバー３２４Ｒ、３２４Ｌや一対のファンケース３２３、３２５という構造物を利用しているので、新たな専用部品を設ける必要がなく、部品点数の増加を抑えたまま、排気流をスムーズにすることができる。
【０１８３】
（４）排気口の横幅（Ｗ２）は、ダクトの間隔Ｗ３と同等か、それより小さい寸法関係になっているので、上流から流れて来た排気流をスムーズに本体１の外部へ出すことができる。
【０１８４】
（５）中央表示・入力部８０の液晶基板２８０周囲には、左加熱源６Ｌおよび右加熱源６Ｒを冷却した冷却用ファン２６３、２６４からの冷却風が供給されるので、本体１の下方空間２７４において液晶基板が異常な高温雰囲気に晒されることを防止することができる。
【０１８５】
（６）中央表示・入力部８０の液晶基板２８０周囲には、冷却用ファン２６３、２６４からの冷却風に加え、左加熱源６Ｌおよび右加熱源６Ｒを経由していない冷却風も冷却用ファン２６５、２６６で供給されるので、液晶基板２８０が異常高温に晒されることを確実に防止することができる。
【０１８６】
（７）冷却用ファン２６５、２６６からの冷却風は、トッププレート５の前方下部に供給されるので、上面操作部２０やその下方の制御基板２９２、２９４周囲の温度上昇が抑制され、各種電気部品群２９３や２９８の温度劣化を防止することができると共に、上面操作部２０の各入力キー郡９１、９３、２４、枠体４などの温度上昇も抑制することができ、使用者がそれらに触れた場合の火傷等の危険性を無くすことができる。
【０１８７】
以上のように、本発明の実施の形態１においては、多種類の調理に対応できる加熱調理器において、各種の調理条件設定状況が共通の表示画面を見てその都度確認することができると共に、その表示画面が、左右の加熱源の対向空間内にあって、その後端が両加熱源の各前端を結ぶ直線よりも後方位置まで及ぶ大きさに形成されているので、一般的に正方形や長方形という限られた本体上面スペースの中で、より大きな表示画面を設置することができ、多くの情報を表示できる。また左右の加熱源からの悪影響（熱や磁力線等）を受けることが少なくできる。
【０１８８】
［実施の形態２］
図１２は、本発明の実施の形態２に係る加熱調理器を示すものであって、本体の中央表示・入力部と上面操作部の構造を示す平面図である。実施の形態２に係る加熱調理器では、実施の形態１の中央操作部２３に設けていた入力キー群９１を省略し、各種調理条件の入力等は中央表示・入力部８０に設けた入力キーで行うようにしている。なお、実施の形態１と同じ部分にはこれと同じ符号を付し、一部の説明を省略する。
【０１８９】
中央表示・入力部８０は、実施の形態１と同様にドットマトリックス型液晶画面で構成されている。図１２に記載のように、情報を表示する画面区域８１は合計１０個のエリアに割り当ててある。具体的には、
加熱源６Ｌの対応エリアＡ１、Ａ２と、
中央加熱源７の対応エリアＢ１、Ｂ２と、
右加熱源６Ｒの対応エリアＣ１、Ｃ２と、
グリルやオーブン調理用の加熱源１１０Ａ、１１０Ｂの対応エリアＤと、
使用者に各種調理における注意や参考情報を表示するガイドエリアＥと、
各種調理条件等を直接入力可能な機能を有する、互いに独立した６つの表示キー８４、１００、１０１、１０２、１０３、１０４を表示するキー表示エリアＦと、
Ｔｉｐｓ表示エリアＧと、
をそれぞれ備えている。
【０１９０】
中央表示・入力部８０の液晶画面の最も上面を覆う透明なガラス製表面板の上には、上記６つの表示キー８４、１００、１０１、１０２、１０３、１０４の位置とそれぞれ対応した位置に、通電制御回路２００に指令を与える上面操作部２０の６つの入力キー４８４、５００、５０１、５０２、５０３、５０４がそれぞれ独立して形成されている。
これらの入力キー４８４、５００、５０１、５０２、５０３、５０４は、使用者が指などを触れることで静電容量が変化する接触式キーを採用しており、使用者がキー表面に軽く触れることで入力信号が発生するものである。
【０１９１】
その入力キーの部分（区域）を構成するガラス板上には、キーの入力機能を示す文字や図形、記号（図１２のような矢印含む）を印刷や刻印等で何ら表示していないが、これらキーの下方の液晶画面（キー表示エリアＦ）には、入力キー４８４、５００、５０１、５０２、５０３、５０４の操作場面毎にキーの入力機能を示す文字や図形、記号（図１２のような矢印含む）を表示する構成になっている。
【０１９２】
そして入力キー４８４、５００〜５０４の表面上方から使用者は、表示キー８４、１００〜１０４が表示した所定の入力機能文字（例えば、「初期画面」や「戻る」等の文字や矢印などの記号含む）を視覚で確認できる。
しかも、アクティブ状況（キー操作すれば、通電制御回路２００の動作を定める制御プログラムに対し、有効な操作指令信号になること）にあるキーを区別することができる。
【０１９３】
また、入力キー４８４、５００〜５０４の内、操作しても無効なキーについては、図１２の入力キー５０２に対応した表示キー１０２のように、表示キー８４、１００〜１０４自体が入力機能文字を液晶画面上で表示しないようにし、非アクティブ状態にあることを示すため、使用者はタッチ方式で入力可能な入力キー４８４、５００〜５０４を、その操作の場面毎に容易に特定できるようになっている。
【０１９４】
以上のように本発明の実施の形態２においても、各種の調理条件設定状況が共通の表示画面を見てその都度確認することができるとともに、その表示画面は、本体上面スペースの左右に配置された加熱源の間にあって、大きな面積のものにすることができ、多くの情報を表示することができる。また、左右に配置された加熱源からの悪影響（熱や磁力線等）を受けることが少なくできる。
【０１９５】
さらに、実施の形態２では、使用者が中央表示・入力部８０を見た場合、所望の入力キーを少しでも早く、簡単に認識・理解することができ、かつ、その中央表示・入力部の表示画面上に用意された入力キーを操作して調理条件等の入力をすることが出来るので、使い勝手の良い加熱調理器を提供することができる。
【０１９６】
また、使用する鍋が適当でないことも文字や図形などで報知されるので、使用者に正しい使い方を促し、信頼性の高い加熱調理器とすることができる。
【産業上の利用可能性】
【０１９７】
以上より、本発明の加熱調理器は、複数の加熱源それぞれの設定条件等を簡単に入力することができると共に、使用状況を容易かつ確実に確認することができるから、様々な複数の加熱源を具備する各種加熱調理器に広く利用することができる。
【符号の説明】
【０１９８】
１  加熱調理器本体（本体）、２  本体ケース、３  天板、４  枠体、５  トッププレート、６  加熱源、６ＬＭ  案内マーク、６Ｒ  右加熱源、６Ｌ  左加熱源、６ＲＭ  案内マーク、６ＬＭ  案内マーク、７  中央加熱源、７Ａ  断熱カバー、７Ｍ  案内マーク、１０  前面操作部、１１  操作ボタン、１２  左制御スイッチ、１２Ｌ  左操作ダイアル、１２Ｒ  右操作ダイアル、１３  中央操作ダイアル、１４  右表示灯、１５  左表示灯、１６  タイマーダイアル、１９  加熱室、２０  上面操作部、２１  右火力設定用操作部、２２  左火力設定用操作部、２３  中央操作部、２４  ワンタッチキー部、２５  弱火力キー、２６  中火力キー、２７  強火力キー、２９  操作ボタン、３４Ｌ  左タイマースイッチ、３４Ｒ  右タイマースイッチ、３５Ｌ  左液晶表示部、３５Ｒ  右液晶表示部、３６Ｌ  左揚げ物選択スイッチ、３６Ｒ  右揚げ物選択スイッチ、４０Ｌ  左火力表示ランプ、４０Ｒ  右火力表示ランプ、５０  通電マーク、６０  画像表示器、６２  電気ケーブル、６４  流し台、６５  壁、７０  ドア、７１  前面開口、７２  窓、７３  受皿、７４  右排気口、７５  左排気口、７６  排気ダクト、８０  中央表示・入力部、８１  画面区域、８１Ｅ  ガイドエリア、８３  入力キー（ファンクションキー）、８４  表示キー、８５  インフォーメーションキー、８６  強火力キー（３ｋＷキー）、９１  入力キー群、９２  操作ボタン、９３  ＩＨ便利メニューボタン、９３ａ  右ＩＨ便利メニューボタン（キー）、９４  操作ボタン、９５〜９９  入力キー（ファンクションキー）、１００〜１０４  表示キー、１１０Ａ  グリルヒータ（加熱源）、２００  通電制御回路（制御手段）、２０１  主電源スイッチ、２０２  商用電源、２０２Ａ  母線、２０６Ｌ  左加熱源回路、２０６Ｒ  右加熱源回路、２０７  中央回路、２０８  グリル回路、２２０  共振回路、２２０Ｌ  左加熱コイル（誘導加熱コイル）、２２０Ｒ  右加熱コイル（誘導加熱コイル）、２２１  整流ブリッジ回路、２２５  共振回路、２２６  フライホイールダイオード、２２７  電流検出センサー、２２８  駆動回路、２３０  電磁リレー、２３１  電気ヒータ、２３２  定電圧回路、２３３  赤外線駆動回路、２４１  受信回路、２４２  制御回路、２４３  ファンモータ、２４４  駆動回路、２４５  駆動回路、２４６〜２５７  発光ダイオード、２５８ａ〜２５８ｌ  抵抗、２５９  接地側接続点、２６０  冷却用ファン駆動回路、２６１〜２６７  冷却用ファン、２６３Ａ  回転軸、２６４Ａ  回転軸、２６５Ａ  吸い込み口、２６５Ｂ  吹出口、２６６Ａ  吸い込み口、２６６Ｂ  吹出口、２７０  仕切板、２７１  連通孔、２７２  断熱材、２７３  天井壁面、２７４  下方空間、２７５  上方空間、２８０  液晶基板、２８１  断熱材、２８２  ケース、２８２Ａ  フランジ部、２８３  空隙、２８４  放熱フィン、２９０Ｌ  仕切板、２９０Ｒ  右仕切板、２９１  溝状空間、２９２  制御基板（電気絶縁性取付基板）、２９３  電気部品群、２９４  制御基板（電気絶縁性取付基板）、２９８  電気部品類、３００  操作ボタン、３１１  温度検出回路、３２０Ｌ  吸気口、３２０Ｒ  吸気口、３２１Ｌ  パワーモジュール、３２１Ｒ  パワーモジュール、３２３  ファンケース、３２３Ａ  吸込��、３２３Ｂ  吹出口、３２３Ｃ  案内面、３２４Ａ  背面側、３２４Ｂ  案内面、３２４Ｌ  保護カバー、３２４Ｒ  保護カバー、３２５  ファンケース、３２５Ａ  吸込口、３２５Ｂ  吹出口、３２５Ｌ  電気回路部品群、３２５Ｒ  電気回路部品群、３３０Ｐ  通風孔、３３０Ｒ  保持枠、３３１Ｌ  左磁束漏れ防止板、３３１Ｒ  右磁束漏れ防止板、３３２  断熱材、３３３  密封用シールパッキン材、３３５Ｌ  左保持枠、３３５Ｒ  右保持枠、３７０Ｌ  左空間部、３７０Ｒ  右空間部、３７１Ｒ  高電圧電気部品、３７２Ｌ  冷却フィン、３７２Ｒ  冷却フィン、４００  予備電源、４８４  入力キー、５０２  入力キー、Ａ１  第一の表示エリア（対応エリア）、Ａ２  第二の表示エリア、ＡＭ  アクティブマーク、Ｂ１  第一の表示エリア（対応エリア）、Ｂ２  第二の表示エリア、Ｃ１  第一の表示エリア（対応エリア）、Ｃ２  第二の表示エリア（対応エリア）、Ｄ  対応エリア、Ｅ  ガイドエリア（表示エリア）、Ｆ  キー表示エリア、Ｇ  表示エリア、Ｎ  鍋（被加熱物）、ＢＬ  横方向直線、ＣＬ  左右中心線、ＬＬ  横方向直線（最前位置）、ＲＬ  横方向直線（最前位置）、Ｓ１〜Ｓ７Ｌ  温度センサー、ＳＡ  左右対向間隔、ＳＢ  左右対向間隔、ＳＣ  前後対向間隔、ＳＳ  対向空間。
【図１】
0005425171.tif 000002
【図２】
0005425171.tif 000003
【図３】
0005425171.tif 000004
【図４】
0005425171.tif 000005
【図５】
0005425171.tif 000006
【図６】
0005425171.tif 000007
【図７】
0005425171.tif 000008
【図８】
0005425171.tif 000009
【図９】
0005425171.tif 000010
【図１０】
0005425171.tif 000011
【図１１】
0005425171.tif 000012
【図１２】
0005425171.tif 000013